(57)【要約】  給水器（１）は、内部に注水するための注水口部（１４）を有する貯水タンク部（１０）と、貯水タンク部（１０）に貯水された水を給水するための給水口部（２０）と、貯水タンク部（１０）の内部に配置され、貯水タンク部（１０）に貯められた水に紫外線を照射することで、当該水を殺菌する紫外線光源部（４０）と、貯水タンク部（１０）の内部に配置され、紫外線光源部（４０）から照射された紫外線を検出するＵＶセンサ部（１１０）とを備える。
2016189800.tif 000002
【特許請求の範囲】
【請求項１】
内部に注水するための注水口部を有する貯水タンク部と、
前記貯水タンク部に貯水された水を給水するための給水口部と、
前記貯水タンク部の内部に配置され、前記貯水タンク部に貯められた水に紫外線を照射することで、当該水を殺菌する紫外線光源部と、
前記紫外線光源部から照射された紫外線を検出するセンサ部とを備える
給水器。
【請求項２】
前記センサ部は、前記貯水タンク部の内部に配置されている
請求項１に記載の給水器。
【請求項３】
前記センサ部は、前記貯水タンク部の内部における、前記紫外線光源部から最も離れた位置に配置されている
請求項２に記載の給水器。
【請求項４】
さらに、
裏面に前記紫外線光源部が取り付けられた、前記注水口部を塞ぐための着脱可能な蓋部を備え、
前記センサ部は、前記蓋部の裏面に配置されている
請求項１に記載の給水器。
【請求項５】
さらに、
前記センサ部による検出結果を通知する通知部を備える
請求項１〜４のいずれか１項に記載の給水器。
【請求項６】
前記センサ部は、前記紫外線光源部から照射された紫外線の強度を検出し、
前記給水器は、さらに、
前記紫外線光源部の点灯及び消灯を制御する駆動回路部を備え、
前記駆動回路部は、前記センサ部によって検出された強度に基づいて前記紫外線の照射時間を決定し、決定した照射時間で前記紫外線光源部を点灯させる
請求項１〜５のいずれか１項に記載の給水器。
【請求項７】
さらに、
前記貯水タンク部に貯水された水の水量を検出する水位センサ部を備える
請求項１〜６のいずれか１項に記載の給水器。
【請求項８】
さらに、
前記貯水タンク部に貯水された水の水量を表示する水位表示部を備える
請求項１〜７のいずれか１項に記載の給水器。
【請求項９】
さらに、
前記貯水タンク部に貯水された水の水質を測定する水質センサ部を備える
請求項１〜８のいずれか１項に記載の給水器。
【請求項１０】
さらに、
前記水質センサ部によって測定された水質を示す水質情報を表示する水質表示部を備える
請求項９に記載の給水器。
【請求項１１】
さらに、
前記水質センサ部によって測定された水質を示す水質情報を記憶するためのメモリ部を備える
請求項９又は１０に記載の給水器。
【請求項１２】
前記水質センサ部は、ＴＤＳ（Ｔｏｔａｌ  Ｄｉｓｓｏｌｖｅｄ  Ｓｏｌｉｄ）センサを有する
請求項９〜１１のいずれか１項に記載の給水器。
【請求項１３】
さらに、
バッテリー部を備え、
前記紫外線光源部は、前記バッテリー部から供給される電力を用いて前記紫外線を照射する
請求項１〜１２のいずれか１項に記載の給水器。
【請求項１４】
さらに、
太陽電池部を備え、
前記紫外線光源部は、前記太陽電池部から供給される電力を用いて前記紫外線を照射する
請求項１〜１３のいずれか１項に記載の給水器。
【請求項１５】
さらに、
前記貯水タンク部に貯められた水を加熱する熱源部を備える
請求項１〜１４のいずれか１項に記載の給水器。
【請求項１６】
さらに、
外部から前記紫外線光源部へ電力を供給するための電源コードと、
前記電源コードを巻き付け固定するための巻き付け部とを備える
請求項１〜１５のいずれか１項に記載の給水器。
【請求項１７】
さらに、
裏面に前記紫外線光源部が取り付けられた、前記注水口部を塞ぐための着脱可能な蓋部と、
前記貯水タンク部の内部、又は、前記貯水タンク部及び前記蓋部の外部に設けられた、前記紫外線光源部の点灯及び消灯を制御する駆動回路部とを備える
請求項１に記載の給水器。
【発明の詳細な説明】
【技術分野】
【０００１】
本発明は、給水器に関する。
【背景技術】
【０００２】
従来から、家庭に配水されている水道水などを、紫外線によって殺菌してから飲用水として用いるということが行われている。これは、たとえ水道水であっても、マイクロコッカス菌又は大腸菌などの細菌が混入している場合があるためである。特に、発展途上国などにおいては、家庭用の水道水であっても充分に殺菌処理が行われていない場合、あるいは、配水途中で細菌が混入する場合がある。【０００３】
家庭でも使用できる水殺菌装置としては、水道からの原水を濾過フィルタに通した後、流れる濾過水に紫外線を照射して殺菌し、殺菌後の水をタンクなどに貯水する技術が知られている（例えば、特許文献１参照）。タンクには、給水口（蛇口）が取り付けられており、当該給水口から給水して飲用水又は料理用の水として利用することができる。
【先行技術文献】
【特許文献】
【０００４】
【特許文献１】特開２００５−２１１８５１号公報
【発明の概要】
【発明が解決しようとする課題】
【０００５】
従来の水殺菌装置では、紫外線を発生させる光源として、水銀灯が用いられている。水銀灯には定格寿命時間が定められているが、ユーザにとって、寿命がいつ来るのかを把握することは難しい。また、水銀灯の使用環境、点灯及び消灯の繰り返しの頻度などに応じて、実際の寿命時間は、定格寿命時間に一致しない。したがって、ユーザにとって、水銀灯が不点灯になる状態を把握することは難しい。【０００６】
そこで、本発明は、紫外線の照射状況をユーザが容易に確認することができる給水器を提供することを目的とする。
【課題を解決するための手段】
【０００７】
上記目的を達成するため、本発明の一態様に係る給水器は、内部に注水するための注水口部を有する貯水タンク部と、前記貯水タンク部に貯水された水を給水するための給水口部と、前記貯水タンク部の内部に配置され、前記貯水タンク部に貯められた水に紫外線を照射することで、当該水を殺菌する紫外線光源部と、前記貯水タンク部の内部に配置され、前記紫外線光源部から照射された紫外線を検出するセンサ部とを備える。
【発明の効果】
【０００８】
本発明に係る給水器によれば、紫外線の照射状況をユーザが容易に確認することができる給水器を提供することができる。
【図面の簡単な説明】
【０００９】
【図１】図１は、本発明の実施の形態に係る給水器の概観斜視図である。
【図２Ａ】図２Ａは、本発明の実施の形態に係る給水器の正面図である。
【図２Ｂ】図２Ｂは、本発明の実施の形態に係る給水器の上面図である。
【図２Ｃ】図２Ｃは、本発明の実施の形態に係る給水器の右側面図である。
【図３】図３は、本発明の実施の形態に係る給水器の断面図である。
【図４】図４は、本発明の実施の形態に係る貯水タンク部の概観斜視図である。
【図５】図５は、本発明の実施の形態に係る蓋部の概観斜視図である。
【図６Ａ】図６Ａは、本発明の実施の形態に係る蓋部の正面図である。
【図６Ｂ】図６Ｂは、本発明の実施の形態に係る蓋部の上面図である。
【図６Ｃ】図６Ｃは、本発明の実施の形態に係る蓋部の右側面図である。
【図７】図７は、本発明の実施の形態に係る蓋部を閉じる様子を示す上面図である。
【図８】図８は、本発明の実施の形態に係る給水器を使用中における表示部の様子を示す上面図である。
【図９】図９は、本発明の実施の形態に係る給水器の構成を示す機能ブロック図である。
【図１０】図１０は、本発明の実施の形態に係る給水器の動作を示すフローチャートである。
【図１１】図１１は、本発明の実施の形態に係る給水器の動作を模式的に示す図である。
【図１２Ａ】図１２Ａは、本発明の変形例１に係る給水器の右側面図である。
【図１２Ｂ】図１２Ｂは、本発明の変形例１に係る給水器の右側面図であり、電源コードが巻き付け部に巻き付けられている様子を示す図である。
【図１３Ａ】図１３Ａは、本発明の変形例２に係る給水器の斜視図である。
【図１３Ｂ】図１３Ｂは、本発明の変形例２に係る給水器の別の例を示す斜視図である。
【図１４Ａ】図１４Ａは、本発明の変形例３に係る給水器を模式化して示す断面図である。
【図１４Ｂ】図１４Ｂは、本発明の変形例３に係る給水器の別の例を示す斜視図である。
【図１５】図１５は、本発明の変形例４に係る給水器の断面図である。
【発明を実施するための形態】
【００１０】
以下では、本発明の実施の形態に係る給水器について、図面を用いて詳細に説明する。なお、以下に説明する実施の形態は、いずれも本発明の好ましい一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成部材については同じ符号を付している。また、以下の実施の形態において、略同一又は略均等などの表現を用いている。例えば、略同一は、完全に同一であることを意味するだけでなく、実質的に同一、すなわち、数％程度の誤差を含むことも意味する。
【００１２】
（実施の形態）
［概要］
まず、本実施の形態に係る給水器の概要について、図１〜図３を用いて説明する。
【００１３】
図１は、本実施の形態に係る給水器１の概観斜視図である。図２Ａ〜図２Ｃはそれぞれ、本実施の形態に係る給水器１の正面図、上面図及び右側面図である。図３は、本実施の形態に係る給水器１の断面図である。具体的には、図３は、図２Ｂに示すＩＩＩ−ＩＩＩ線における断面を示している。また、各図において、給水器１の左右方向をＸ軸方向、前後方向をＹ軸方向、上下方向をＺ軸方向とする。
【００１４】
本実施の形態に係る給水器１は、例えば、飲用水又は料理用水などの水を提供（給水）する。具体的には、給水器１は、水道水、井戸水、湧き水、雨水などの水（以下、「未殺菌水」と記載する）に紫外線（ＵＶ光）を照射することで殺菌する。給水器１は、殺菌後の水（以下、「殺菌水」と記載する）を飲用水などとして提供する。
【００１５】
本実施の形態に係る給水器１は、図１に示すように、いわゆるウォータージャグと呼ばれる、小型、かつ、軽量であり、持ち運び可能な給水器である。給水器１は、例えば、家庭などに設置され、あるいは、屋外に運ばれて用いられてもよい。
【００１６】
図１〜図３に示すように、給水器１は、貯水タンク部１０と、給水口部２０と、蓋部３０と、紫外線光源部４０と、開閉センサ部５０（図４及び図５を参照）と、駆動回路部６０と、インジケータ７０と、スピーカ８０と、取手部９０とを備える。給水器１は、図１及び図３に示すように、さらに、ＵＶセンサ部１１０と、ＵＶインジケータ１１１とを備える。給水器１は、図３に示すように、さらに、水位センサ部１２０を備える。給水器１は、図１に示すように、さらに、水位表示部１３０を備える。給水器１は、図１及び図３に示すように、さらに、水質センサ部１４０と、水質表示部１４１と、メモリ部１４２とを備える。なお、水質センサ部１４０は、水位センサ部１２０と同じセンサを利用することができる。給水器１は、図３に示すように、さらに、バッテリー部１５０を備える。給水器１は、図１に示すように、さらに、太陽電池部１６０を備える。給水器１は、図３に示すように、さらに、熱源部１７０を備える。
【００１７】
以下では、本実施の形態に係る給水器１が備える構成要素について、図１〜図３を適宜参照しながら詳細に説明する。
【００１８】
［貯水タンク部］
図４は、本実施の形態に係る貯水タンク部１０を示す概観斜視図である。
【００１９】
図４に示すように、貯水タンク部１０は、内部に注水するための注水口部１４を有する容器部である。貯水タンク部１０には、注水口部１４を介して未殺菌水が注水され、注水された未殺菌水が貯められる。貯められた未殺菌水は、図３などに示す紫外線光源部４０によって紫外線が照射された後、給水口部２０を介して外部に給水（排出）される。
【００２０】
本実施の形態では、図４に示すように、貯水タンク部１０は、開口部と底部とを有する有底略円筒体である。具体的には、貯水タンク部１０は、二重構造を有し、内部に貯められた水の温度を保つことができる。すなわち、貯水タンク部１０は、保温機能を有する。より具体的には、貯水タンク部１０は、外側容器１１と、内側容器１２とを備える。
【００２１】
外側容器１１は、貯水タンク部１０の外郭をなす容器である。
【００２２】
内側容器１２は、内部に水が貯められる容器である。内側容器１２の容量、すなわち、貯水タンク部１０に貯められる水の容量は、例えば、６リットル〜１０リットルであるが、これに限らない。内側容器１２は、外側容器１１より小さく、外側容器１１の内部に配置されている。
【００２３】
外側容器１１及び内側容器１２はそれぞれ、開口部と底部とを有する有底略円筒体である。なお、開口部と底部とは、平面視において同じ大きさでもよく、あるいは、開口部が底部より小さくてもよい（いわゆるボトル状）。また、外側容器１１及び内側容器１２の各々の形状は、これに限らず、例えば、有底角筒状でもよい。
【００２４】
図３に示すように、外側容器１１の開口部と内側容器１２の開口部とは接続されている。これにより、外側容器１１と内側容器１２との間に閉空間１３が形成されている。閉空間１３は、例えば真空などの減圧された空間である。これにより、外側容器１１と内側容器１２との間での熱伝導を抑制することができる。
【００２５】
注水口部１４は、貯水タンク部１０に設けられた開口部である。具体的には、注水口部１４は、内側容器１２の開口部である。注水口部１４を介して未殺菌水が内側容器１２の内部に注水される。
【００２６】
注水口部１４は、図１に示すように、蓋部３０によって塞がれる。注水口部１４の平面視形状（上面視形状）は、略円形である。これにより、蓋部３０を回動させてねじ締めすることで、注水口部１４を蓋部３０によって塞ぐことができる。もっとも塞ぐに際して、ねじ締めに限らず、注水口部１４及び蓋部３０にそれぞれ係合する凹部又は凸部を設けてもよい。例えば、凹部を凸部にはめ込むことにより、注水口部１４を蓋部３０によって塞いでもよい。また、単に塞ぐだけであるならば、特にロックさせる機構を設ける必要もない。
【００２７】
貯水タンク部１０の底部近傍の側面部には、給水口部２０が接続される孔部１５が形成されている。孔部１５は、外側容器１１の外部と内側容器１２の内部とを連通する。孔部１５及び給水口部２０を介して、内側容器１２に貯められた水（例えば、殺菌水）を外部に給水することができる。
【００２８】
貯水タンク部１０の内面は、金属で覆われている。具体的には、内側容器１２の内面は、金属で覆われている。例えば、内側容器１２及び外側容器１１は、金属材料で形成されている。金属材料は、例えば、ステンレスである。なお、外側容器１１及び内側容器１２は、金属材料に限らず、例えば、樹脂材料などから形成されてもよい。このとき、内側容器１２の内面は、例えばめっき処理などによって金属材料で覆われていてもよい。
【００２９】
図４に示すように、貯水タンク部１０の注水口部１４の近傍には、開閉センサ部５０（タンク側センサ５２）が設けられる。具体的には、タンク側センサ５２は、蓋部３０を正しく閉じたときに、蓋部３０に設けられた蓋側センサ５１と近接する位置に設けられる。
【００３０】
なお、貯水タンク部１０は、上述したような二重構造を有しなくてもよい。
【００３１】
［給水口部］
給水口部２０は、貯水タンク部１０に貯水された水を給水するための部材である。具体的には、給水口部２０は、操作レバーを備える。操作レバーは、例えば、押下式、引上式、又は、回動式のレバーである。操作レバーが操作されたとき、給水口部２０は、貯水タンク部１０に貯水された水を供給し、あるいは、給水を停止する。
【００３２】
給水口部２０は、例えば、貯水タンク部１０の底部近傍の側面部に取り付けられている。具体的には、給水口部２０は、貯水タンク部１０の孔部１５に接続されている。給水口部２０は、例えば、ポリプロピレン（ＰＰ）などの樹脂材料から形成される。
【００３３】
なお、給水口部２０が設けられる位置は、貯水タンク部１０の底部近傍に限らない。例えば、給水口部２０は、給湯ポットなどのように、貯水タンク部１０の上部に設けられていてもよい。
【００３４】
［蓋部（蓋）］
図５は、本実施の形態に係る蓋部３０の概観斜視図である。図６Ａ〜図６Ｃはそれぞれ、本実施の形態に係る蓋部３０の正面図、上面図及び右側面図である。
【００３５】
蓋部３０は、注水口部１４を塞ぐための着脱可能な蓋である。本実施の形態では、図５及び図６Ａ〜図６Ｃに示すように、蓋部３０の裏面には、紫外線光源部４０が取り付けられている。
【００３６】
図５及び図６Ａ〜図６Ｃに示すように、蓋部３０は、表面部３０ａと、裏面部３０ｂとを備える。
【００３７】
表面部３０ａは、蓋部３０の表（おもて）面側の部分であり、図３に示すように、蓋部３０が閉じられた場合には、注水口部１４を覆う。表面部３０ａは、例えば、円板状の筐体である。表面部３０ａは、裏面（下面）側が開放されており、裏面部３０ｂが接続されている。表面部３０ａの表面（上面）側には、把持部３１が設けられている。表面部３０ａは、例えば、ポリプロピレンなどの樹脂材料から形成される。
【００３８】
裏面部３０ｂは、蓋部３０の裏面側の部分であり、図３に示すように、蓋部３０が閉じられた場合には、注水口部１４を介して貯水タンク部１０（具体的には、内側容器１２）内に配置されている。裏面部３０ｂは、例えば、円板状の筐体である。裏面部３０ｂは、表面（上面）側が開放されており、表面部３０ａが接続されている。裏面部３０ｂの裏面（下面）を貫通するように、紫外線光源部４０が設けられている。裏面部３０ｂは、例えば、ステンレスなどの金属材料から形成される。
【００３９】
本実施の形態では、蓋部３０の裏面は、金属で覆われている。具体的には、裏面部３０ｂが金属材料で形成されており、裏面部３０ｂの裏面（下面）が金属で覆われている。これにより、紫外線光源部４０が発する紫外光を反射することができる。
【００４０】
なお、裏面部３０ｂは、樹脂材料から形成されてもよい。この場合、例えば、裏面部３０ｂの下面に金属板を取り付けることで、蓋部３０の裏面に反射性を持たせることができる。
【００４１】
また、図３に示すように、蓋部３０の内部には、駆動回路部６０、インジケータ７０及びスピーカ８０が配置されている。また、図５に示すように、蓋部３０の内部には、開閉センサ部５０（蓋側センサ５１）が配置されている。
【００４２】
本実施の形態では、蓋部３０は、ねじ巻き式の蓋である。つまり、蓋部３０を貯水タンク部１０に対して回動させることで、蓋部３０は、注水口部１４を塞ぐことができる。
【００４３】
蓋部３０は、注水口部１４を塞ぐことで、貯水タンク部１０の内部（水が貯められる空間）を密閉する。なお、本実施の形態では、蓋部３０が注水口部１４を塞ぐことを、蓋部３０を閉じると記載する場合がある。
【００４４】
具体的には、「蓋部３０を閉じる」とは、貯水タンク部１０の内部から光が直接漏れない状態にすることである。つまり、蓋部３０が閉じられた状態では、蓋部３０と貯水タンク部１０との間には隙間が形成されておらず、注水口部１４を介して貯水タンク部１０の内部から外部に光が漏れない。なお、後述するように、蓋部３０は、窓部３４を備えており、窓部３４を介して一部の光は貯水タンク部１０の外部に放出される。また、蓋部３０が閉じられた状態では、貯水タンク部１０の内部に貯められた水が注水口部１４を介して外部に漏れ出ないことが好ましい。
【００４５】
蓋部３０が「開けられた状態」とは、蓋部３０が閉じられていない状態である。例えば、蓋部３０が開けられた状態では、注水口部１４を介して貯水タンク部１０の内部から光が漏れ出る、すなわち、貯水タンク部１０の内部を外部から視認可能な状態である。
【００４６】
図７は、本実施の形態に係る蓋部３０を閉じる様子を示す上面図である。具体的には、図７の（ａ）は、蓋部３０が開けられた状態を示し、（ｂ）は、蓋部３０が閉じられた状態を示している。
【００４７】
図７に示すように、蓋部３０は、平面視における中心を通る軸Ｐを回転軸として回動させることで、開閉される。本実施の形態では、蓋部３０は、蓋部３０を開閉するために把持される凸状の把持部３１を有する。ユーザは把持部３１を把持して蓋部３０を回動させることで、蓋部３０を開閉することができる。なお、蓋部３０及び貯水タンク部１０の各々には、互いに螺合するネジ山が形成されている。
【００４８】
把持部３１は、蓋部３０の開閉を行おうとする者（例えば、給水器１のユーザ）が把持する部分である。把持部３１の形状は、蓋部３０に対する平面視において、細長形状である。具体的には、把持部３１の周辺に凹部が設けられていることで、凸状の把持部３１が形成されている。把持部３１の上面と蓋部３０の表面（すなわち、上面）とは、面一である。把持部３１の上面は、後述する第２平坦部３３に含まれる。
【００４９】
蓋部３０が、貯水タンク部１０に対して所定の向き（又は所定の位置）まで回動された場合に、蓋部３０が閉じた状態になる。本実施の形態では、図７の（ｂ）に示すように、把持部３１の長手方向Ｑが、給水器１の前後方向Ｒ（すなわち、Ｙ軸方向）に一致するときに、蓋部３０が閉じた状態になる。
【００５０】
蓋部３０は、円板状の蓋体であり、かつ、側面に第１平坦部３２を有する。具体的には、図６Ｂに示すように、蓋部３０の上面視形状は、略円形であり、周の一部が欠落している。当該欠落部分が、第１平坦部３２である。つまり、第１平坦部３２は、蓋部３０の側面に設けられた平坦面を有する。図６Ｂ及び図６Ｃに示すように、蓋部３０を上面視及び側面視した場合に、第１平坦部３２は、それぞれ略直線で示される。つまり、第１平坦部３２は、略矩形の平坦面を有する。
【００５１】
蓋部３０が第１平坦部３２を有するので、第１平坦部３２と水平面とが線（又は面）で接する。したがって、左右方向への回転を抑制することができる。これにより、蓋部３０の回転が抑制されるので、例えば、周辺の物にぶつかる、又は、落下するなどによって蓋部３０又は紫外線光源部４０が破損するのを抑制することができる。
【００５２】
蓋部３０は、裏面とは反対側の表面に第２平坦部３３を有する。具体的には、図６Ａ〜図６Ｃに示すように、第２平坦部３３は、略円形の平坦面を有する。
【００５３】
蓋部３０は、第２平坦部３３を鉛直下向きにして水平面に置いた場合に自立する。つまり、蓋部３０は、第２平坦部３３と水平面とが接するように置いた場合に転倒しない。
【００５４】
第２平坦部３３は、例えば、紫外線光源部４０の軸方向（Ｚ軸方向）に直交する面である。これにより、第２平坦部３３を鉛直下向きにした場合、紫外線光源部４０の軸が鉛直方向になるので、紫外線光源部４０の重みによって蓋部３０が傾くことを抑制することができる。
【００５５】
また、紫外線光源部４０は、第２平坦部３３の略中央（重心）に対向する位置に取り付けられている。これにより、第２平坦部３３を鉛直下向きにして蓋部３０を水平面においた場合の安定性を向上させることができる。
【００５６】
このように、蓋部３０の転倒が抑制されるので、例えば、周辺の物にぶつかる、又は、落下するなどによって蓋部３０又は紫外線光源部４０が破損するのを抑制することができる。
【００５７】
蓋部３０は、窓部３４を備える。
【００５８】
窓部３４は、貯水タンク部１０の内部を視認するための部分である。本実施の形態では、図３に示すように、窓部３４は、貫通孔３４ａと、拡散部材３４ｂと、反射部材３４ｃと、透光性部材３４ｄとを有する。
【００５９】
貫通孔３４ａは、蓋部３０を表面から裏面に向かう方向（Ｚ軸方向）に貫通する。なお、貫通孔３４ａ内は、透光性を有する樹脂材料又はガラス材料で充填されてもよい。
【００６０】
拡散部材３４ｂは、紫外線光源部４０から発せられる青白光を拡散させて外部に出射する。つまり、拡散部材３４ｂは、紫外線光源部４０が点灯している間、青白光を放出する。拡散部材３４ｂは、蓋部３０の表面に、貫通孔３４ａを覆うように設けられている。本実施の形態では、拡散部材３４ｂは、蓋部３０の表面の一部と側面の一部とに設けられている。これにより、図６Ａ〜図６Ｃに示すように、給水器１の上方又は側方から給水器１を見た場合に、拡散部材３４ｂを視認することができる。したがって、拡散部材３４ｂを視認することで、紫外線光源部４０が点灯しているか否かを判断することができる。
【００６１】
拡散部材３４ｂは、例えば、樹脂材料から形成される。例えば、樹脂材料の表面にシボ加工などを施すことにより、拡散部材３４ｂは形成される。拡散部材３４ｂは、シリカなどの光拡散材を含む樹脂材料から形成されてもよい。
【００６２】
反射部材３４ｃは、紫外線光源部４０から発せられる青白光を反射する。貫通孔３４ａの側面に沿って設けられている。したがって、反射部材３４ｃは、貫通孔３４ａを通過する青白光が蓋部３０に吸収されるのを抑制することができる。反射部材３４ｃは、例えば、アルミニウムなどの金属膜である。
【００６３】
透光性部材３４ｄは、紫外線光源部４０から発せられる青白光を透過する。透光性部材３４ｄは、蓋部３０の裏面に貫通孔３４ａを覆うように設けられている。透光性部材３４ｄは、例えば、ガラス材料から形成される。透光性部材３４ｄは、貯水タンク部１０に貯められる水が貫通孔３４ａ内に浸入するのを抑制する。また、透光性部材３４ｄは、紫外線光源部４０から発せられる紫外線を吸収し、窓部３４を介して外部に放射されるのを抑制する。
【００６４】
［紫外線光源部］
紫外線光源部４０は、貯水タンク部１０の内部に配置され、貯水タンク部１０に貯められた水に紫外線を照射することで、当該水を殺菌する。照射する紫外線は、例えば、２００ｎｍ〜４００ｎｍの範囲にピーク波長を有する紫外線である。本実施の形態では、紫外線光源部４０は、一例として、ピーク波長が２５３．７ｎｍの紫外線を照射する。
【００６５】
紫外線光源部４０は、蓋部３０の裏面に取り付けられている。具体的には、紫外線光源部４０は、蓋部３０（裏面部３０ｂ）の裏面を貫通するように設けられている。
【００６６】
紫外線光源部４０は、図５に示すように、ランプ４１と、カバー４２とを備える。
【００６７】
ランプ４１は、外部から電力を受けて紫外線を発する。ランプ４１は、例えば、紫外線を発する水銀灯である。例えば、ランプ４１としては、内部に水銀蒸気などが封止されたガラス管を有する低圧水銀蒸気放電ランプを用いることができる。なお、ランプ４１に替えて、紫外線を発するＬＥＤ（Ｌｉｇｈｔ  Ｅｍｉｔｔｉｎｇ  Ｄｉｏｄｅ）を用いてもよい。図３に示すように、ランプ４１の給電部は、裏面部３０ｂ内に設けられており、コネクタ６２に接続されている。ランプ４１は、例えば、６Ｗの消費電力で３分間照射することにより、約８リットルの水を殺菌することができる。例えば、６Ｗの消費電力で紫外線を３分間照射することにより、８リットルの水に含まれるマイクロコッカス菌を９９．９％殺菌することができた。
【００６８】
図３及び図５に示すように、ランプ４１の形状は、直管状である。ランプ４１は、例えば、ランプ４１の長軸方向が蓋部３０の裏面に直交するように設けられている。具体的には、ランプ４１は、蓋部３０の裏面のうち、平面視における中心近傍に立設するように設けられている。ランプ４１の先端（下方端）は、貯水タンク部１０の底部の近傍に位置している。例えば、図３に示すように、ランプ４１の先端と給水口部２０（孔部１５）とは略同じ高さに位置する。これにより、貯水タンク部１０に貯められた水に、直接、かつ、略均等に紫外線を照射することができる。
【００６９】
なお、ランプ４１は、紫外線だけでなく、青白光も発する。当該青白光は、窓部３４を介して外部に出射される。これにより、給水器１のユーザは、窓部３４を見ることで、紫外線が照射されているか否かを判断することができる。なお、紫外線を放射するＬＥＤからの光も青白く見える。
【００７０】
カバー４２は、ランプ４１の破損を防止するためのカバーである。カバー４２は、例えば、蓋部３０を机又は床などに置いた場合に、ランプ４１が机又は床に直接接触するのを抑制する。
【００７１】
カバー４２は、ランプ４１を囲むように設けられている。具体的には、カバー４２は、立体格子形状を有し、当該立体格子の内部にランプ４１が配置されている。カバー４２は、例えば、ステンレスなどの金属材料から形成される。
【００７２】
ランプ４１及びカバー４２は、貯水タンク部１０内に水が貯められた場合に、貯められた水に浸かる。例えば、規定の水量（例えば８リットル）の水が貯められた場合に、ランプ４１は、少なくとも半分以上が浸水する。このため、ランプ４１及びカバー４２は、防水性を有することが好ましい。
【００７３】
なお、紫外線光源部４０が紫外線を照射する際には、給水器１は、通常、机又は床などの上に設置されて固定されている。したがって、貯水タンク部１０に貯められた水は、動水（流水）ではなく、静水である。紫外線光源部４０は、静水に紫外線を照射するので、短期間で充分に殺菌することができる。
【００７４】
［開閉センサ部］
開閉センサ部５０は、注水口部１４が蓋部３０によって塞がれているか否かを検知する。つまり、開閉センサ部５０は、蓋部３０が閉じられた状態であるか、開けられた状態であるかを検知する。
【００７５】
開閉センサ部５０は、図４及び図５に示すように、蓋側センサ５１と、タンク側センサ５２とを備える。蓋側センサ５１は、例えば、蓋部３０に内蔵されている。タンク側センサ５２は、例えば、貯水タンク部１０に内蔵されている。
【００７６】
本実施の形態では、蓋側センサ５１とタンク側センサ５２とは、蓋部３０が閉じられた場合に近接するように設けられている。例えば、蓋側センサ５１とタンク側センサ５２とは、蓋部３０が閉じられた場合に、上面視において重複する。
【００７７】
開閉センサ部５０は、例えば、磁気センサである。蓋側センサ５１は、例えば、リードスイッチを有し、駆動回路部６０に電気的に接続されている。タンク側センサ５２は、例えば、永久磁石などの磁石である。蓋部３０が閉じられた場合に、蓋側センサ５１のリードスイッチが導通し、電流が流れる。蓋側センサ５１は、当該電流を検知信号として駆動回路部６０に出力する。
【００７８】
なお、開閉センサ部５０の構成は、一例であって、これに限らない。例えば、蓋側センサ５１は、コイルを有し、タンク側センサ５２に近接したときに流れる電流を検知信号として駆動回路部６０に出力してもよい。
【００７９】
［駆動回路部］
駆動回路部６０は、紫外線光源部４０の点灯及び消灯を制御する。具体的には、駆動回路部６０は、紫外線光源部４０を点灯するタイミング及び消灯するタイミングを制御する。なお、駆動回路部６０は、紫外線光源部４０が放射する紫外線の強度、又は、紫外線を照射する期間を変更する制御を行ってもよい。
【００８０】
本実施の形態では、駆動回路部６０は、紫外線光源部４０の点灯が可能な点灯可能モードと、紫外線光源部４０の点灯が禁止されている点灯禁止モードとを実行する。点灯可能モードでは、電源スイッチ６３が押下されたときに、駆動回路部６０は、紫外線光源部４０の点灯を行う。点灯禁止モードでは、電源スイッチ６３が押下されたとしても、駆動回路部６０は、紫外線光源部４０の点灯を行わない。駆動回路部６０は、点灯可能モードと点灯禁止モードとを、開閉センサ部５０による検知結果に基づいて切り替える。
【００８１】
具体的には、駆動回路部６０は、注水口部１４が塞がれていることを開閉センサ部５０によって検知されない場合に、紫外線光源部４０の点灯を禁止する。つまり、駆動回路部６０は、蓋部３０が開けられた状態では、点灯禁止モードを実行する。具体的には、紫外線光源部４０への電力の供給を禁止する。また、駆動回路部６０は、蓋部３０が閉じられた状態でのみ、点灯可能モードを実行する。具体的には、駆動回路部６０は、紫外線光源部４０への電力の供給を行うことができる。また、紫外線光源部４０の点灯中に、蓋部３０が開けられた場合、駆動回路部６０は、紫外線光源部４０を消灯し、点灯禁止モードに移行する。
【００８２】
駆動回路部６０は、図３に示すように、インバータ６１と、コネクタ６２と、電源スイッチ６３と、メイン回路基板６４と、タイマー部６５とを備える。なお、図示しないが、インバータ６１と、コネクタ６２と、電源スイッチ６３と、メイン回路基板６４と、タイマー部６５とは、ケーブル又は基板に設けられた金属パターンなどの配線によって電気的に接続されている。
【００８３】
インバータ６１は、ランプ４１に供給するための交流電力を生成する。具体的には、インバータ６１は、外部電源から供給された電力（例えば、系統電力）を所望の周波数に変換し、変換後の交流電力を、コネクタ６２を介してランプ４１に供給する。
【００８４】
コネクタ６２は、ランプ４１に電力を供給するための接続部の一例である。コネクタ６２は、インバータ６１に電気的に接続されている。
【００８５】
電源スイッチ６３は、紫外線光源部４０の点灯を開始するためのスイッチである。電源スイッチ６３が押下された場合に、メイン回路基板６４及びインバータ６１は、ランプ４１に電力を供給する。なお、紫外線光源部４０が点灯中に電源スイッチ６３が押下されたとき、紫外線光源部４０を消灯してもよい。
【００８６】
メイン回路基板６４は、ランプ４１への電力の供給の開始及び停止を制御するための回路基板である。具体的には、メイン回路基板６４は、電源スイッチ６３が押下されたことを検知して、ランプ４１へ電力の供給を開始する。
【００８７】
本実施の形態では、メイン回路基板６４は、開閉センサ部５０から出力された検知信号を取得する。メイン回路基板６４は、検知信号によって蓋部３０が閉じられていることが確認された場合にのみ、点灯可能モードを実行する。
【００８８】
タイマー部６５は、紫外線光源部４０の点灯時間をカウントする。タイマー部６５は、例えば、メイン回路基板６４に設けられている。タイマー部６５は、紫外線光源部４０による紫外線の照射が開始されたタイミングからカウントを開始する。タイマー部６５は、例えば、カウントの開始から、予め設定された期間（以下、「設定時間」と記載する）が経過したタイミングで、消灯タイミング信号をメイン回路基板６４に出力する。メイン回路基板６４は、消灯タイミング信号を受けた場合に、ランプ４１への電力の供給を停止し、紫外線光源部４０による紫外線の照射を停止する。
【００８９】
設定時間は、例えば、３分間である。なお、複数の設定時間が設定されていてもよい。この場合、ユーザは、複数の設定時間から１つの設定時間を選択することができる。設定時間が長い程、未殺菌水の殺菌効果をより高めることができる。
【００９０】
本実施の形態では、タイマー部６５は、インジケータ７０にカウントに応じたカウント信号を出力する。例えば、タイマー部６５は、カウント値又は残り時間を示すカウント信号を出力する。また、タイマー部６５は、スピーカ８０にカウント信号又は消灯タイミング信号を出力してもよい。
【００９１】
なお、メイン回路基板６４には、例えば、マイコン（マイクロコントローラ）が実装されている。マイコンは、紫外線光源部４０の点灯制御、インジケータ７０の表示制御、及び、スピーカ８０の出音制御を行う。また、マイコンは、タイマー部６５の機能を有してもよい。
【００９２】
ところで、紫外線光源部４０から照射される紫外線の強度は、累積使用時間の増加とともに低下することが考えられる。したがって、紫外線の強度が低下している場合、予め定められた設定時間で紫外線光源部４０を点灯させたとしても、充分な殺菌効果を得ることができないというおそれがある。
【００９３】
そこで、本実施の形態では、駆動回路部６０は、ＵＶセンサ部１１０によって検出された強度に基づいて紫外線の照射時間を決定し、決定した照射時間で紫外線光源部４０を点灯させてもよい。例えば、駆動回路部６０は、ＵＶセンサ部１１０によって検出された強度を用いて、殺菌効果を９９．９％にするための紫外線の照射時間を算出する。
【００９４】
殺菌効果を９９．９％にするためには、紫外線の強度と紫外線の照射時間との積算値によって決定される。つまり、紫外線の強度と紫外線の照射時間との積算値が所定の値以上になった場合に、殺菌効果が９９．９％になる。なお、所定の値は、殺菌対象となる菌毎に予め定められている。ＵＶセンサ部１１０によって紫外線の強度を検出することができるので、紫外線の照射時間（具体的には、積算時間）を算出することができる。
【００９５】
なお、駆動回路部６０は、殺菌効果が９９．９％にするための、紫外線の強度と紫外線の照射時間とを対応付けた対応テーブルを参照することで、紫外線の照射時間を決定してもよい。対応テーブルは、例えば、メイン回路基板６４に設けられたメモリ（図示せず）などの記憶部に予め記憶されていてもよい。
【００９６】
これにより、紫外線光源部４０から照射される紫外線の強度が低下している場合でも、強度に応じた照射時間で紫外線を照射するので、充分な殺菌効果を得ることができる。したがって、殺菌効果が不十分な水をユーザが誤って使用することを抑制することができる。
【００９７】
［表示部］
インジケータ７０は、タイマー部６５によるカウントに応じた表示を行う表示部の一例である。インジケータ７０は、例えば、タイマー部６５によるカウントに応じて異なる表示を行う。
【００９８】
図３に示すように、インジケータ７０は、ＬＥＤ基板７１と、透光性カバー７２とを備える。
【００９９】
ＬＥＤ基板７１は、複数のＬＥＤ素子が実装されている。複数のＬＥＤ素子は、タイマー部６５によるカウントに応じて順に発光する。複数のＬＥＤ素子は、例えば、赤色又は青色などの可視光を発する。
【０１００】
透光性カバー７２は、ＬＥＤ基板７１から発せられる光を透過するカバーである。透光性カバー７２は、蓋部３０の内部に塵埃又は水分などの異物が浸入するのを抑制する。
【０１０１】
図８は、本実施の形態に係る給水器１を使用中のインジケータ７０の様子を示す上面図である。具体的には、図８の（ａ）は、紫外線光源部４０による紫外線の照射が開始された時点を示している。図８の（ｂ）は、紫外線の照射が開始された後、設定時間（例えば、３分）が経過していない時点を示している。図８の（ｃ）は、紫外線の照射が開始された後、設定時間が経過した時点を示している。
【０１０２】
なお、図８において、斜線の網掛けを付した領域は、ＬＥＤ素子が発光していることを示している。また、窓部３４に付したドットの網掛けは、紫外線光源部４０が紫外線を照射しており、外部から青白い光が視認可能な状態であることを示している。
【０１０３】
図８の（ａ）に示すように、例えば、紫外線の照射が開始された時点では、インジケータ７０は、１つのみのＬＥＤ素子が発光している。図８の（ｂ）に示すように、時間の経過とともに、発光するＬＥＤ素子の数が順に増加する。図８の（ｃ）に示すように、全てのＬＥＤ素子が発光した後、紫外線の照射は終了する。
【０１０４】
なお、インジケータ７０によるカウントの表示方法は、これに限らない。インジケータ７０は、例えば、セグメントディスプレイであり、カウント値（又は、残り時間）をデジタル数字で表示してもよい。あるいは、インジケータ７０は、ＬＥＤ素子を点滅表示させ、点滅の頻度をカウントに応じて変更してもよい。また、インジケータ７０は、カウントに応じてＬＥＤ素子の発光色を変更してもよい。
【０１０５】
［出音部］
スピーカ８０は、開閉センサ部５０によって検知された蓋部３０の開閉状態に応じて音を発する出音部の一例である。スピーカ８０は、例えば、メイン回路基板６４に設けられている。
【０１０６】
本実施の形態では、スピーカ８０は、開閉センサ部５０によって蓋部３０が閉じられたことが検知された場合に効果音（第１効果音）を発する。スピーカ８０は、開閉センサ部５０によって蓋部３０が開けられたことが検知された場合に警告音を発する。
【０１０７】
また、本実施の形態では、スピーカ８０は、紫外線光源部４０の点灯状態に応じて音を発する。具体的には、スピーカ８０は、紫外線光源部４０が点灯を開始したときに、第２効果音を発する。スピーカ８０は、設定時間が経過して紫外線光源部４０が消灯したときに、第３効果音を発する。
【０１０８】
第１効果音、第２効果音及び第３効果音並びに警告音は、例えば、互いに異なる音である。具体的には、音の高さ、音の大きさ、又は、音を発する回数若しくはタイミングなどが異なっている。
【０１０９】
なお、スピーカ８０は、効果音又は警告音の代わりに、音声又は音楽を出力してもよい。
【０１１０】
［取手部］
取手部９０は、給水器１を持ち運ぶ際に、ユーザに把持される部分である。取手部９０は、貯水タンク部１０に取り付けられている。取手部９０は、例えば、ポリプロピレンなどの樹脂材料から形成される。
【０１１１】
［ＵＶセンサ部］
ＵＶセンサ部１１０は、貯水タンク部１０の内部に配置され、紫外線光源部４０から照射された紫外線を検出する。ＵＶセンサ部１１０は、紫外線光源部４０から照射された紫外線の強度を検出する。
【０１１２】
ＵＶセンサ部１１０は、例えば、紫外領域に感度を有するフォトダイオードなどの受光素子を有する。フォトダイオードは、例えば、受光面が紫外線光源部４０に向くように配置されている。フォトダイオードは、受光した紫外線の強度に応じた電気信号を生成する。フォトダイオードが生成した電気信号は、例えば、駆動回路部６０又はＵＶインジケータ１１１に出力される。
【０１１３】
なお、本実施の形態では、ＵＶセンサ部１１０は貯水タンク部１０の内部に配置され、駆動回路部６０又はＵＶインジケータ１１１は、蓋部３０に設けられている。このため、貯水タンク部１０及び蓋部３０の各々には、ＵＶセンサ部１１０と駆動回路部６０などとを電気的に接続する構造が設けられている。
【０１１４】
例えば、貯水タンク部１０は、ＵＶセンサ部１１０に電気的に接続された導電性の第１端子を有し、蓋部３０は、駆動回路部６０又はＵＶインジケータ１１１に電気的に接続された導電性の第２端子を有する。貯水タンク部１０と蓋部３０とが閉じられた場合に、第１端子と第２端子とが電気的に接続されることで、ＵＶセンサ部１１０から駆動回路部６０などに電気信号を伝達することができる。例えば、第１端子と第２端子とは、開閉センサ部５０のように、貯水タンク部１０と蓋部３０とが閉じられた場合に、互いに近接する位置に設けられている。
【０１１５】
なお、ＵＶセンサ部１１０及び駆動回路部６０の各々がＢｌｕｅｔｏｏｔｈ（登録商標）などの無線通信機能を有してもよい。
【０１１６】
このように、本実施の形態に係る給水器１がＵＶセンサ部１１０を備えるので、紫外線光源部４０の動作状況、すなわち、紫外線の照射状況を確認することができる。例えば、ユーザが電源スイッチ６３を押下することで殺菌処理を開始させたにも関わらず、ランプ寿命などによって紫外線光源部４０が不点状態にあって紫外線を照射していない状況などを確認することができる。これにより、ユーザは、未殺菌水の殺菌が行われているか否かを把握することができるので、誤って未殺菌水を使用してしまうことを抑制することができる。
【０１１７】
なお、紫外線の照射の有無だけであれば、例えば、窓部３４を介した目視によって確認することもできる。しかしながら、窓部３４を介した目視では、紫外線が必要な強度で照射されているか否かは判断できない。
【０１１８】
紫外線光源部４０から照射される紫外線の強度は、累積使用時間の増加とともに低下することが考えられる。例えば、紫外線光源部４０が寿命の末期である場合、紫外線の強度が低下し、予定している殺菌効果を発揮することができない。
【０１１９】
これに対して、本実施の形態に係る給水器１はＵＶセンサ部１１０によって紫外線の強度を検出するので、充分な殺菌効果を発揮するだけの強度の紫外線が照射されているか否かを確認することができる。例えば、ＵＶセンサ部１１０によって検出された強度が所定の閾値より低い場合、ＵＶインジケータ１１１又はスピーカ８０を利用して、ユーザに警告を与えることができる。あるいは、殺菌処理そのものを中止することもできる。
【０１２０】
ＵＶセンサ部１１０は、図３に示すように、貯水タンク部１０の内部における、紫外線光源部４０から最も離れた位置に配置されている。本実施の形態では、紫外線光源部４０は、貯水タンク部１０の中央に設けられているので、ＵＶセンサ部１１０は、内側容器１２の内壁面に沿って設けられている。具体的には、ＵＶセンサ部１１０は、内側容器１２の外周に沿って環状に設けられている。つまり、ＵＶセンサ部１１０は、上面視において、紫外線光源部４０から最も離れた位置に配置されている。
【０１２１】
これにより、ＵＶセンサ部１１０が紫外線によって劣化するのを抑制することができる。
【０１２２】
また、ＵＶセンサ部１１０は、貯水タンク部１０に未殺菌水が注水されたときに、水に浸かる部分に設けられている。具体的には、ＵＶセンサ部１１０は、図３に示すように、貯水タンク部１０の内側容器１２の底部の外周に沿って環状に設けられている。したがって、ＵＶセンサ部１１０の受光面と紫外線光源部４０との間には、未殺菌水が介在する。このため、ＵＶセンサ部１１０の受光面には、紫外線光源部４０からの紫外光が直接入射するのではなく、未殺菌水を透過した後の紫外線が入射する。紫外線は、未殺菌水を透過する際に、未殺菌水に含まれる菌などによって吸収されて減衰する。
【０１２３】
したがって、ＵＶセンサ部１１０による検出結果は、ＵＶセンサ部１１０の近傍に位置する未殺菌水に照射される紫外線の強度を示している。言い換えると、ＵＶセンサ部１１０による検出結果は、ＵＶセンサ部１１０の近傍に位置する未殺菌水に、充分な強度の紫外線が照射されているか否かを示している。具体的には、ＵＶセンサ部１１０によって検出された強度が大きいということは、ＵＶセンサ部１１０の近傍に位置する未殺菌水に充分な強度の紫外線が照射されていることを意味する。ＵＶセンサ部１１０によって検出された強度が小さい、又は、紫外線が検出されない（強度が０）ということは、ＵＶセンサ部１１０の近傍に位置する未殺菌水に充分な強度の紫外線が照射されていない、又は、紫外線光源部４０が点灯していないことを意味する。
【０１２４】
本実施の形態では、ＵＶセンサ部１１０は、紫外線光源部４０から最も離れた位置に配置されているので、ＵＶセンサ部１１０の近傍に位置する未殺菌水も紫外線光源部４０から最も離れた位置に位置する。したがって、ＵＶセンサ部１１０の近傍に位置する未殺菌水に充分な強度の紫外線が照射されていれば、貯水タンク部１０に貯められた未殺菌水の全てに充分な強度の紫外線が照射されているとみなすことができる。よって、ＵＶセンサ部１１０による検出結果に基づいて、未殺菌水に充分な強度の紫外線が照射されたか否か、すなわち、未殺菌水が殺菌されたか否かを判定することができる。このように、給水器１がＵＶセンサ部１１０を備えることで、未殺菌水が殺菌されたか否かを判定することができる。
【０１２５】
［ＵＶインジケータ］
ＵＶインジケータ１１１は、ＵＶセンサ部１１０による検出結果を通知する通知部の一例である。ＵＶインジケータ１１１は、図１に示すように、蓋部３０の上面に設けられている。具体的には、ＵＶインジケータ１１１は、電源スイッチ６３の近傍に設けられている。
【０１２６】
ＵＶインジケータ１１１は、例えば、ＬＥＤ素子である。当該ＬＥＤ素子は、例えば、ＬＥＤ基板７１に実装されたＬＥＤ素子の１つである。ＵＶインジケータ１１１は、例えば、駆動回路部６０によって点灯制御される。
【０１２７】
具体的には、駆動回路部６０は、ＵＶセンサ部１１０によって検出された強度を示す電気信号を取得し、取得した電気信号が示す強度と所定の閾値とを比較する。駆動回路部６０は、検出された紫外線の強度が閾値より低い場合に、紫外線光源部４０から紫外線が照射されていないと判定する。駆動回路部６０は、検出された紫外線の強度が閾値以上である場合に、紫外線光源部４０から紫外線が照射されていると判定する。
【０１２８】
なお、「紫外線光源部４０から紫外線が照射されていない」ということは、未殺菌水の殺菌効果が不十分であることを意味している。また、例えば、「紫外線光源部４０から紫外線が照射されていない」ということには、紫外線光源部４０から紫外線は照射されているものの、未殺菌水の濁りなどの影響で、ＵＶセンサ部１１０に充分な強度の紫外線が入射されないことも意味している。
【０１２９】
駆動回路部６０は、紫外線光源部４０から紫外線が照射されていないと判定した場合に、ＵＶインジケータ１１１を点灯する。駆動回路部６０は、紫外線光源部４０から紫外線が照射されていると判定した場合に、ＵＶインジケータ１１１を点灯しない。ＵＶインジケータ１１１は、発光することで、紫外線が照射されていないことを、すなわち、未殺菌水の殺菌効果が不十分であることをユーザに通知する。
【０１３０】
ここで、駆動回路部６０は、紫外線光源部４０から紫外線が照射されていないと判定した場合に、ＵＶインジケータ１１１を点灯せずに、紫外線光源部４０から紫外線が照射されていると判定した場合に、ＵＶインジケータ１１１を点灯してもよい。ＵＶインジケータ１１１は、発光しないことで、紫外線が照射されていないことを、すなわち、未殺菌水の殺菌効果が不十分であることをユーザに通知してもよい。
【０１３１】
なお、ＵＶインジケータ１１１の代わりに、又は、ＵＶインジケータ１１１に加えて、スピーカ８０が検出結果を通知してもよい。すなわち、スピーカ８０が通知部の一例であってもよい。例えば、スピーカ８０は、ＵＶセンサ部１１０によって測定された強度が所定の閾値より低い場合に、所定の警告音を出力してもよい。
【０１３２】
また、ＵＶインジケータ１１１又はＵＶセンサ部１１０が、紫外線が照射されているか否かを判定してもよい。例えば、ＵＶセンサ部１１０は、強度が所定の閾値より低い場合にのみＵＶインジケータ１１１に点灯指示を出力してもよい。ＵＶインジケータ１１１は、点灯指示を受け取った場合に発光する。
【０１３３】
このように、給水器１がＵＶインジケータ１１１又はスピーカ８０などの通知部を備えることで、紫外線光源部４０からの紫外線が照射されていないことをユーザに知らせることができる。ユーザは、ＵＶインジケータ１１１の点灯（又は消灯）を確認し、あるいは、スピーカ８０からの警告音を確認することで、紫外線が照射されていることを把握することができる。よって、誤って未殺菌水を使用してしまうことを抑制することができる。
【０１３４】
なお、ＵＶインジケータ１１１は、貯水タンク部１０に設けられていてもよい。例えば、ＵＶインジケータ１１１をＵＶセンサ部１１０の近傍に設けることで、ＵＶセンサ部１１０とＵＶインジケータ１１１との電気的な接続を容易にすることができる。また、例えば、ＵＶインジケータ１１１を給水口部２０の近傍に設けることで、ユーザが給水器１を使用する際に、ＵＶインジケータ１１１の点灯（又は消灯）に気付きやすくすることができる。
【０１３５】
［水位センサ部］
水位センサ部１２０は、貯水タンク部１０に貯水された水の水量を検出する。具体的には、水位センサ部１２０は、貯水タンク部１０に貯水された水の水量が所定の水量以上であるか否かを判定する。
【０１３６】
本実施の形態では、水位センサ部１２０は、蓋部３０に設けられている。具体的には、図３に示すように、水位センサ部１２０は、蓋部３０の裏面部３０ｂに設けられている。
【０１３７】
水位センサ部１２０は、正端子と負端子との２つの導電性の端子を有する。当該２つの導電性の端子は、裏面部３０ｂの裏面から、当該裏面の法線方向に所定の長さで突出している。２つの端子の各々の長さは、貯水タンク部１０に所定の水量（例えば、規定の最大量）の未殺菌水が注入された後、蓋部３０が注水口部１４を閉じたときに、少なくとも先端が未殺菌水に接触する程度の長さである。２つの端子の各々が未殺菌水に接触した場合、未殺菌水に含まれる導電性の不純物などを介して２つの端子間が導通する。すなわち、水位センサ部１２０は、２つの端子間の導通又は非導通を検出することで、水量（水位）を検出する。
【０１３８】
水位センサ部１２０による検出結果は、例えば、駆動回路部６０に出力される。本実施の形態では、駆動回路部６０は、水位センサ部１２０による検出結果に基づいて、点灯可能モードと点灯禁止モードとを選択的に実行する。具体的には、水位センサ部１２０の２つの端子間が非導通である場合は、点灯禁止モードを維持する。駆動回路部６０は、水位センサ部１２０の２つの端子間が導通した場合に、点灯禁止モードから点灯可能モードに移行する。
【０１３９】
点灯可能モードに移行するための水量、すなわち、水位センサ部１２０が検出可能な水量の最小値は、例えば、規定の容量の半分以上の値である。紫外線が直接照射される部分を少なくするためには、より多くの未殺菌水が貯水タンク部１０に貯水されていることが好ましい。したがって、点灯可能モードに移行するための水量は、例えば、規定の容量の最大値であることが好ましい。
【０１４０】
なお、２つの端子の長さを調節することで、検出できる水量を調整することができる。具体的には、２つの端子を長くした場合には少ない水量を検出することができ、２つの端子を短くした場合には多い水量を検出することができる。
【０１４１】
これにより、貯水タンク部１０に十分な量の未殺菌水が貯められていない場合に、紫外線光源部４０が紫外線を照射するのを防止することができる。例えば、貯水タンク部１０が空の場合に紫外線が照射されると、貯水タンク部１０の内部の部材が直接紫外線に曝されて劣化する。特に、樹脂材料から形成される部材の劣化が顕著である。例えば、給水口部２０又は水位表示部１３０は樹脂材料から形成される場合があり、紫外線に曝されることで劣化するという問題がある。
【０１４２】
これに対して、本実施の形態では、駆動回路部６０は、水位センサ部１２０の検出結果に基づいて点灯可能モードと点灯禁止モードとを選択的に実行するので、水量が充分ではない場合に紫外線光源部４０の点灯を禁止することができる。これにより、貯水タンク部１０の内部の部材の劣化を抑制することができる。
【０１４３】
なお、水位センサ部１２０は、貯水タンク部１０に設けられていてもよい。例えば、内側容器１２の内壁面の所定の高さに、２つの端子を内方に突出させて配置する。これにより、当該高さにまで未殺菌水が注水された場合に２つの端子間が導通するので、水位センサ部１２０は、少なくとも当該高さにまで未殺菌水が注水されていることを検出することができる。
【０１４４】
［水位表示部］
水位表示部１３０は、貯水タンク部１０に貯水された水の水量を表示する。具体的には、水位表示部１３０は、貯水タンク部１０の外部と内部とを連通する貫通孔（水位表示窓）に設けられた、可視光領域の光を透過させるカバー部材である。
【０１４５】
これにより、水位表示部１３０を介して外部から貯水タンク部１０の内部を目視することができる。つまり、ユーザは、水位表示部１３０を介して、貯水タンク部１０の内部に貯水された未殺菌水を視認することができる。
【０１４６】
水位表示部１３０には、例えば、目盛りが付されている。ユーザは、未殺菌水の水面を水平方向に目視したときの当該水面と目盛りとを比較することで、貯水タンク部１０に貯水された未殺菌水の水量を確認することができる。なお、目盛りには、水量を示す数値が付されていてもよい。
【０１４７】
水位表示部１３０は、例えば、ポリカーボネート（ＰＣ）、アクリル（ＰＭＭＡ）などから形成される。なお、水位表示部１３０は、紫外領域の光の透過を抑制するフィルタを備えることが好ましい。フィルタは、例えば、４００ｎｍ以下の波長の光の透過を抑制する。なお、水位表示部１３０（カバー部材）自体が、フィルタ機能を有してもよく、水位表示部１３０とは別体でフィルタを備えてもよい。フィルタは、例えば、水位表示部１３０の内側に設けられる。
【０１４８】
これにより、紫外線光源部４０からの紫外光が水位表示部１３０を介して外部に出射されるのを抑制することができる。
【０１４９】
ところで、水位表示部１３０が設けられていない場合、貯水タンク部１０に貯められた水の水量を確認するためには、蓋部３０を開けなければならず、ユーザに不便を強いていた。蓋部３０の開けた場合には、注水口部１４を介して内部に異物が侵入するおそれもあり、好ましくない。例えば、場合によっては、水の再殺菌処理が必要となり、ランプ寿命の短縮化及び消費電力の増加という問題がある。
【０１５０】
これに対して、本実施の形態では、給水器１が水位表示部１３０を備えることで、ユーザは、容易に貯水タンク部１０に残存する水の水量を把握することができる。したがって、水の残量が少なくなった場合には、ユーザは、目視によって残量が少ないことを容易に把握することができるので、必要に応じて注水を行うことができる。これにより、殺菌水が必要なときに残量が足りなくなるという状況が起こりにくくすることができ、ユーザ利便性を向上させることができる。
【０１５１】
また、蓋部３０を開けることなく、水量を把握することができるので、内部に異物が侵入することも抑制することができる。したがって、水の再殺菌処理を行わなくて済むので、ランプ寿命の短縮化及び消費電力の増加を抑制することができる。
【０１５２】
なお、水位表示部１３０は、浮きを利用してもよい。これにより、ユーザは、目視による水位の確認をより容易に行うことができる。
【０１５３】
［水質センサ部］
水質センサ部１４０は、貯水タンク部１０に貯水された水の水質を測定する。水質とは、水のきれいさを示す尺度であり、具体的には、水に含まれる不純物濃度で示される。本実施の形態では、水質センサ部１４０は、ＴＤＳ（Ｔｏｔａｌ  Ｄｉｓｓｏｌｖｅｄ  Ｓｏｌｉｄ）センサを有する。
【０１５４】
水質センサ部１４０は、例えば、紫外線光源部４０の点灯と連動して水質を測定する。具体的には、水質センサ部１４０は、電源スイッチ６３が押下されたときに水質を測定する。測定された水質を示す水質情報は、メモリ部１４２に記憶される。
【０１５５】
ＴＤＳセンサは、正端子と負端子との２つの導電性の端子を有する。具体的には、ＴＤＳセンサは、正端子及び負端子を水位センサ部１２０と共用する。すなわち、水質センサ部１４０と水位センサ部１２０とは一体に形成されている。ＴＤＳセンサは、２つの端子間に流れる電流量に基づいて未殺菌水の導電率を測定し、測定した導電率を不純物濃度に変換する。不純物濃度は、例えば、ｐｐｍで示される。不純物濃度の数値が小さい程、飲用水として適しており、不純物濃度の数値が大きい程、飲用水としては適していない。
【０１５６】
ＴＤＳセンサによって検出される不純物は、未殺菌水に溶解している無機イオンである。具体的には、無機イオンには、カルシウム、マグネシウム、ナトリウム、カリウム、鉄、マンガンなどの金属原子の陽イオン、又は、硝酸イオン、硫酸イオン、亜硝酸イオンなどの陰イオンが含まれる。
【０１５７】
ところで、水質センサ部１４０が設けられていない場合、貯水タンク部１０に貯められた水が飲用水として適しているか否かを判定することができない。例えば、紫外線を照射することによって水を殺菌することはできるものの、全ての不純物を除去することができる訳ではない。したがって、飲用水に適さない水をユーザが誤って飲用するおそれがあるという問題がある。
【０１５８】
これに対して、本実施の形態では、給水器１が水質センサ部１４０を備えることで、貯水タンク部１０に貯められた水の水質を測定するので、例えば、水が飲用水として適しているか否かをユーザに知らせることができる。例えば、ＴＤＳセンサは、細菌などの有機物の量を検出する訳ではないが、無機イオンの不純物濃度を検出することで、検出結果を一般的な飲用水として適しているか否かの判定に利用することができる。したがって、紫外線の照射によって殺菌された殺菌水であっても、飲用水に適さない水を誤って飲用することを抑制することができる。
【０１５９】
なお、水質センサ部１４０は、水位センサ部１２０とは別体で形成されてもよい。この場合、水質センサ部１４０は、貯水タンク部１０の底部に設けられていてもよい。また、水質センサ部１４０は、ＴＤＳセンサの代わりに、ｐＨセンサなどを有してもよい。
【０１６０】
［水質表示部］
水質表示部１４１は、水質センサ部１４０によって測定された水質を示す水質情報を表示する。具体的には、水質表示部１４１は、水質情報として、不純物濃度の数値を表示する。例えば、水質表示部１４１は、７セグメントディスプレイである。水質表示部１４１は、２桁〜３桁の数値を表示する。
【０１６１】
例えば、ＴＤＳセンサによって検出された数値が１００以下である場合、貯水タンク部１０に貯水された水は、飲用に適しており、５０以下であれば、より飲用に好ましい。ＴＤＳセンサによって検出された数値が１００より大きい場合、貯水タンク部１０に貯水された水は、飲用に適していない。したがって、紫外線光源部４０による紫外線の照射後であっても、水質表示部１４１に表示された数値が１００より大きい場合、貯水タンク部１０に貯水された殺菌水は飲用には適さない。
【０１６２】
本実施の形態では、水質表示部１４１は、図１に示すように、蓋部３０の上面に設けられている。具体的には、水質表示部１４１は、インジケータ７０の近傍に設けられている。なお、水質表示部１４１を設ける位置は、この例に限らない。例えば、水質表示部１４１は、貯水タンク部１０に設けられてもよい。
【０１６３】
このように、給水器１が水質表示部１４１を備えることで、ユーザに殺菌水の水質状態を知らせることができる。これにより、ユーザが、水質が悪い殺菌水を使用してしまうのを抑制することができるので、衛生環境を向上させることができる。
【０１６４】
なお、水質表示部１４１は、貯水タンク部１０に設けられていてもよい。例えば、水質表示部１４１を給水口部２０の近傍に設けることで、ユーザが給水器１を使用する際に、水質表示部１４１の表示に気付きやすくすることができる。
【０１６５】
［メモリ部］
メモリ部１４２は、水質センサ部１４０によって測定された水質を示す水質情報を記憶するための記憶部である。メモリ部１４２は、例えば、フラッシュメモリなどの不揮発性メモリである。
【０１６６】
具体的には、メモリ部１４２は、水質情報として、不純物濃度の数値を記憶する。例えば、メモリ部１４２には、ＴＤＳセンサが水質を測定する度に、測定した時刻を示す時刻情報に対応付けて不純物濃度の数値を記憶する。これにより、不純物濃度の時系列データを作成することができる。
【０１６７】
本実施の形態では、メモリ部１４２は、図３に示すように、蓋部３０に設けられているが、これに限らない。メモリ部１４２は、貯水タンク部１０に設けられていてもよい。メモリ部１４２は、蓋部３０又は貯水タンク部１０に着脱可能に設けられていてもよい。例えば、メモリ部１４２は、ＵＳＢ（Ｕｎｉｖｅｒｓａｌ  Ｓｅｒｉａｌ  Ｂｕｓ）メモリ又はＳＤカードなどでもよい。この場合、ＵＳＢ端子又はカード挿入口が蓋部３０又は貯水タンク部１０に設けられ、ＵＳＢメモリ又はＳＤカードを挿入することができてもよい。
【０１６８】
このように、給水器１がメモリ部１４２を備えることで、水質の時系列データを作成することができる。すなわち、水質の変化を定点観測することができるので、水の衛生状態を連続的に確認することができる。特に、水質状態が変化する地域（例えば、雨季と乾季とがある地域）などにおいては、より一層有用である。
【０１６９】
［バッテリー部］
バッテリー部１５０は、紫外線光源部４０に電力を供給する。なお、バッテリー部１５０は、さらに、各種インジケータなどの表示部及びメモリ部などへ電力を供給してもよい。
【０１７０】
バッテリー部１５０は、例えば、一次電池又は二次電池である。バッテリー部１５０は、直流電力を供給する。したがって、例えば、駆動回路部６０は、直流電力を交流電力に変換するＤＣ−ＡＣ変換器を有し、変換した交流電力を紫外線光源部４０に供給する。
【０１７１】
紫外線光源部４０は、バッテリー部１５０から供給される電力を用いて紫外線を照射する。具体的には、紫外線光源部４０は、商用電源などの外部電源が接続されている場合には、外部電源から供給される電力を用いて紫外線を照射する。紫外線光源部４０は、外部電源が接続されていない場合には、バッテリー部１５０から供給される電力を用いて紫外線を照射する。
【０１７２】
これにより、停電の場合、又は、屋外で給水器１を使用する場合など、外部電源からの電力が供給されないときにバッテリー部１５０から供給される電力を使用することで、バッテリー部１５０の消耗を抑制することができる。
【０１７３】
本実施の形態では、バッテリー部１５０は、図３に示すように、蓋部３０に内蔵されているが、これに限らない。バッテリー部１５０は、貯水タンク部１０に設けられてもよい。バッテリー部１５０は、蓋部３０又は貯水タンク部１０に着脱可能に設けられてもよい。
【０１７４】
ところで、バッテリー部１５０が設けられていない場合、給水器１が使用できる環境が限定されるという問題がある。給水器１は、紫外線光源部４０を点灯させるための電力が必要である。したがって、給水器１は、例えば、電源（コンセント）などの近傍でしか使用することができない。また、電源の近くであっても、停電時などには給水器１を使用することができない。
【０１７５】
これに対して、本実施の形態では、給水器１がバッテリー部１５０を備えることで、環境に依らずに給水器１を使用することができる。例えば、停電が多い地域などでも給水器１を使用することができる。また、屋外などの電源（コンセント）がない場所でも給水器１を使用することができるので、携帯性を高めることができ、ユーザ利便性を向上させることができる。
【０１７６】
また、バッテリー部１５０が着脱可能に設けられている場合には、１つのバッテリー部１５０が切れた場合でも、容易に予備のバッテリー部に交換することができるので、給水器１を連続使用することができる。
【０１７７】
また、バッテリー部１５０にプラグ受けを設けてもよい。商用電源などの外部電源に接続されたプラグを当該プラグ受けに差し込むことで、バッテリー部１５０の充電を可能にしてもよい。
【０１７８】
［太陽電池部］
太陽電池部１６０は、太陽光などを受光し、光エネルギーを電力に変換する。太陽電池部１６０は、変換した電力を紫外線光源部４０に供給する。なお、太陽電池部１６０は、さらに、各種インジケータなどの表示部及びメモリ部などへ電力を供給してもよい。また、太陽電池部１６０は、変換した電力をバッテリー部１５０に供給し、蓄電させてもよい。太陽電池部１６０は、直流電力を供給する。したがって、例えば、駆動回路部６０は、直流電力を交流電力に変換するＤＣ−ＡＣ変換器を有し、変換した交流電力を紫外線光源部４０に供給する。
【０１７９】
紫外線光源部４０は、太陽電池部１６０から供給される電力を用いて紫外線を照射する。具体的には、紫外線光源部４０は、太陽電池部１６０から電力が供給される場合は、太陽電池部１６０から供給される電力を用いて紫外線を照射する。紫外線光源部４０は、太陽電池部１６０から電力が供給されていない場合は、外部電源又はバッテリー部１５０から供給される電力を用いて紫外線を照射する。
【０１８０】
本実施の形態では、太陽電池部１６０は、図１に示すように、蓋部３０の上面に配置されているが、これに限らない。太陽電池部１６０は、給水器１の使用環境に応じて、太陽光が照射されやすい部分に設けられてもよい。なお、太陽電池部１６０は、蓋部３０又は貯水タンク部１０に着脱可能に設けられてもよい。
【０１８１】
ところで、太陽電池部１６０が設けられていない場合、給水器１が使用できる環境が限定されるという問題がある。給水器１は、紫外線光源部４０を点灯させるための電力が必要である。したがって、給水器１は、例えば、電源（コンセント）などの近傍でしか使用することができない。また、電源の近くであっても、停電時などには給水器１を使用することができない。
【０１８２】
これに対して、本実施の形態では、給水器１が太陽電池部１６０を備えることで、環境に依らずに給水器１を使用することができる。例えば、停電が多い地域などでも給水器１を使用することができる。また、屋外などの電源（コンセント）がない場所でも給水器１を使用することができるので、携帯性を高めることができ、ユーザ利便性を向上させることができる。さらに、太陽光を利用するので、電気代が必要ではなく、省エネを実現することができる。
【０１８３】
［熱源部］
熱源部１７０は、貯水タンク部１０に貯められた水を加熱する。熱源部１７０は、例えば、電熱線などのヒータである。熱源部１７０は、外部電源、バッテリー部１５０又は太陽電池部１６０などから供給される電力を用いて、水を加熱する。
【０１８４】
本実施の形態では、熱源部１７０は、内側容器１２の底部に設けられている。例えば、熱源部１７０は、底部の形状に沿って略円形に設けられている。これにより、熱源部１７０が発する熱が水に伝わりやすくなるので、加熱時間を短縮することができる。なお、熱源部１７０は、内側容器１２の底部の代わりに、又は、底部に加えて、側面部に設けられてもよい。
【０１８５】
あるいは、例えば、紫外線光源部４０を囲んでいるカバー４２を熱源部１７０として利用してもよい。具体的には、カバー４２が金属製である場合に、カバー４２に電流を流すことでカバー４２を発熱させることができる。
【０１８６】
なお、例えば、蓋部３０の上面に熱源部１７０を駆動するための操作スイッチ（図示せず）が設けられている。あるいは、熱源部１７０は、紫外線光源部４０の点灯と連動していてもよい。具体的には、電源スイッチ６３が押下された場合に、熱源部１７０は、水の加熱を開始し、充分に加熱されたときに加熱を停止してもよい。
【０１８７】
ところで、熱源部１７０が設けられていない場合、ユーザがお湯を利用したくても、給水器１から給水された水を沸騰させなければならず、ユーザに不便を強いていた。
【０１８８】
これに対して、本実施の形態では、給水器１が熱源部１７０を備えることで、容易にお湯を用意することができ、ユーザ利便性を高めることができる。また、未殺菌水を沸騰させた際に発生する対流によって、紫外線を効率良く未殺菌水に照射させることができ、殺菌効果を高めることができる。これにより、例えば、殺菌時間を短縮することができる。
【０１８９】
なお、熱源部１７０は、未殺菌水を沸騰させるのではなく、例えば４０℃に温めるだけでもよい。これにより、乳児へのミルク用などの特定の用途に利用することができる。
【０１９０】
従来は、水を煮沸消毒する目的も兼ねて、水を沸騰させていた。しかしながら、本実施の形態に係る給水器１は、紫外線を照射することで殺菌するので、煮沸する必要がない。したがって、低温に加熱するだけでよいので、加熱に要する時間の短縮化及び省電力化を実現することができる。
【０１９１】
例えば、熱源部１７０は、加熱温度を選択的に設定可能であってもよい。例えば、予め定められた複数の設定温度をユーザが選択可能であり、熱源部１７０は、ユーザが選択した温度に水を加熱してもよい。つまり、熱源部１７０は、煮沸モード（設定温度が１００℃）及び人肌モード（設定温度が４０℃）などの複数のモードを実行してもよい。この場合、各モードを選択するための操作スイッチ（図示せず）が、例えば、蓋部３０又は貯水タンク部１０に設けられている。
【０１９２】
［機能構成］
続いて、本実施の形態に係る給水器１の機能構成について、図９を用いて説明する。図９は、本実施の形態に係る給水器１の構成を示す機能ブロック図である。
【０１９３】
図９に示すように、給水器１は、受付部２１０と、検知部２２０と、光源部２３０と、制御部２４０と、タイマー部２５０と、通知部２６０と、電源部２７０と、熱源部２８０と、メモリ部２９０とを備える。
【０１９４】
受付部２１０は、光源部２３０による紫外線の照射の開始（すなわち、点灯指示）を受け付ける。受付部２１０は、例えば、電源スイッチ６３に相当する。受付部２１０は、紫外線の照射の停止（すなわち、消灯指示）を受け付けてもよい。受付部２１０は、点灯期間の設定、照射強度の設定などを受け付けてもよい。
【０１９５】
また、受付部２１０は、例えば、熱源部２８０のオン及びオフを操作する操作スイッチにも相当する。受付部２１０は、例えば、貯水タンク部１０に貯められた水の加熱の開始の指示を受け付ける。あるいは、受付部２１０は、設定温度の指示を受け付けてもよい。
【０１９６】
検知部２２０は、図９に示すように、開閉センサ部２２１と、紫外線センサ部２２２と、水位センサ部２２３と、水質センサ部２２４とを備える。
【０１９７】
開閉センサ部２２１は、蓋部３０が閉じられているか否かを検知する。開閉センサ部２２１は、開閉センサ部５０に相当する。開閉センサ部２２１は、蓋部３０が閉じられているか否かを検知し、検知結果を制御部２４０に出力する。
【０１９８】
紫外線センサ部２２２は、紫外線光源部４０から照射された紫外線を検出する。紫外線センサ部２２２は、ＵＶセンサ部１１０に相当する。具体的には、紫外線センサ部２２２は、紫外線の強度を検出し、検出結果を制御部２４０に出力する。
【０１９９】
水位センサ部２２３は、貯水タンク部１０に貯められた水の水量を検出する。水位センサ部２２３は、水位センサ部１２０に相当する。具体的には、水位センサ部２２３は、貯水タンク部１０に貯められた水が所定の水量以上であるか否かを検出し、検出結果を制御部２４０に出力する。
【０２００】
水質センサ部２２４は、貯水タンク部１０に貯められた水の水質を検出する。水質センサ部２２４は、水質センサ部１４０に相当する。具体的には、水質センサ部２２４は、貯水タンク部１０に貯められた水に含まれる不純物の濃度を測定し、測定結果を制御部２４０に出力する。
【０２０１】
光源部２３０は、貯水タンク部１０に貯められた水に紫外線を照射する。光源部２３０は、紫外線光源部４０に相当する。光源部２３０は、制御部２４０による点灯又は消灯の制御に基づいて、紫外線の点灯及び消灯を行う。
【０２０２】
制御部２４０は、光源部２３０、タイマー部２５０、通知部２６０、電源部２７０、熱源部２８０及びメモリ部２９０の動作を制御する。制御部２４０は、駆動回路部６０に相当する。具体的には、制御部２４０は、メイン回路基板６４に実装されたマイコンに相当する。
【０２０３】
本実施の形態では、制御部２４０は、給水器１の動作モードを制御する。
【０２０４】
具体的には、制御部２４０は、蓋部３０が閉じられたことを開閉センサ部２２１が検知し、かつ、貯水タンク部１０に所定の水量以上の水が貯められていることを水位センサ部２２３が検知した場合に、点灯可能モードに移行する。このとき、制御部２４０は、出音部２６６に効果音（第１効果音）を出力させる。
【０２０５】
なお、水位センサ部２２３が設けられていない場合は、制御部２４０は、蓋部３０が閉じられたことを開閉センサ部２２１が検知した場合に、点灯可能モードに移行する。開閉センサ部２２１が設けられていない場合は、貯水タンク部１０に所定の水量以上の水が貯められていることを水位センサ部２２３が検知した場合に、点灯可能モードに移行する。
【０２０６】
例えば、点灯可能モードの場合に、制御部２４０は、受付部２１０が点灯指示を受け付けた場合に、光源部２３０に紫外線を照射させる。このとき、制御部２４０は、出音部２６６に効果音（第２効果音）を出力させる。
【０２０７】
また、制御部２４０は、設定時間が経過したことがタイマー部２５０から通知されたとき、光源部２３０に紫外線の照射を停止させる。このとき、制御部２４０は、出音部２６６に効果音（第３効果音）を出力させる。
【０２０８】
なお、制御部２４０は、紫外線センサ部２２２によって検出された紫外線の強度に基づいて、タイマー部２５０の設定時間を変更してもよい。具体的には、制御部２４０は、紫外線の強度が弱い程、紫外線の照射時間が長くなるように、タイマー部２５０の設定時間を変更してもよい。
【０２０９】
制御部２４０は、光源部２３０が紫外線を照射中に、蓋部３０が開けられたことを開閉センサ部２２１が検知した場合に、光源部２３０に紫外線の照射を停止させる。また、このとき、制御部２４０は、点灯可能モードから点灯禁止モードに移行する。
【０２１０】
制御部２４０は、点灯禁止モードの場合に、受付部２１０が点灯指示を受け付けたとしても、光源部２３０に紫外線を照射させない。例えば、制御部２４０は、光源部２３０に紫外線を照射させる代わりに、出音部２６６に警告音を出力させる。
【０２１１】
また、制御部２４０は、検知部２２０から出力される検出結果及び測定結果に基づいて通知部２６０を制御する。例えば、制御部２４０は、紫外線センサ部２２２による検出結果に基づいて紫外線表示部２６３の点灯及び消灯を制御する。例えば、制御部２４０は、水質センサ部２２４による検出結果に基づいて、水質表示部２６５に不純物濃度を表示させる。また、例えば、制御部２４０は、開閉センサ部２２１及び水位センサ部２２３による検出結果に基づいて、出音部２６６に効果音又は警告音を出力させる。
【０２１２】
タイマー部２５０は、光源部２３０の点灯時間、すなわち、紫外線の照射時間をカウントする。タイマー部２５０は、タイマー部６５に相当する。タイマー部２５０は、光源部２３０の点灯時間が設定時間に達した場合に、制御部２４０に通知する。
【０２１３】
通知部２６０は、検知部２２０による検出結果及び測定結果などに基づいて、ユーザに所定の情報を通知する。具体的には、通知部２６０は、紫外線が充分に照射されているか否かをユーザに通知する。また、通知部２６０は、例えば、蓋部３０が閉じられているか否かをユーザに通知する。通知部２６０は、例えば、貯水タンク部１０に貯められている水の水量をユーザに通知する。通知部２６０は、例えば、貯水タンク部１０に貯められている水の水質をユーザに通知する。通知部２６０は、例えば、紫外線の照射の開始及び終了をユーザに通知する。
【０２１４】
図９に示すように、通知部２６０は、表示部２６１と、出音部２６６とを備える。表示部２６１は、照射時間表示部２６２と、紫外線表示部２６３と、水位表示部２６４と、水質表示部２６５とを備える。
【０２１５】
出音部２６６は、開閉センサ部２２１によって検知された蓋部３０の開閉状態に応じて音を発する。出音部２６６は、スピーカ８０に相当する。また、出音部２６６は、光源部２３０の点灯状態に応じて音を発する。具体的には、出音部２６６は、制御部２４０による制御に基づいて、効果音又は警告音を発する。
【０２１６】
なお、出音部２６６は、水位センサ部２２３による検出結果に基づいて音を発してもよい。例えば、出音部２６６は、水位センサ部２２３によって、貯水タンク部１０に充分な水量の水が貯められていないことが検出された場合に、警告音を発してもよい。
【０２１７】
照射時間表示部２６２は、タイマー部２５０によるカウントに応じた表示を行う。照射時間表示部２６２は、インジケータ７０に相当する。照射時間表示部２６２は、制御部２４０による制御に基づいて、光源部２３０の点灯時間に応じて異なる表示を行う。
【０２１８】
紫外線表示部２６３は、紫外線センサ部２２２による検出結果に応じた表示を行う。紫外線表示部２６３は、ＵＶインジケータ１１１に相当する。紫外線表示部２６３は、例えば、紫外線センサ部２２２が紫外線を検出した場合に点灯し、紫外線センサ部２２２が紫外線を検出しない場合に消灯する。
【０２１９】
水位表示部２６４は、貯水タンク部１０に貯められた水の水量を表示する。水位表示部２６４は、水位表示部１３０に相当する。つまり、本実施の形態では、水位表示部２６４は、制御部２４０に制御されない。あるいは、水位表示部２６４は、水位センサ部２２３による検出結果に基づいた表示を行うＬＥＤ素子又はディスプレイなどでもよい。
【０２２０】
水質表示部２６５は、貯水タンク部１０に貯められた水の水質を表示する。水質表示部２６５は、水質表示部１４１に相当する。水質表示部２６５は、水質センサ部２２４によって検出された不純物濃度を数値で表示する。
【０２２１】
電源部２７０は、光源部２３０などに電力を供給する。図９に示すように、電源部２７０は、給電部２７１と、バッテリー部２７２と、太陽電池部２７３とを備える。
【０２２２】
給電部２７１は、商用電源などの外部電源から電力を受電し、制御部２４０を介して光源部２３０などに電力を供給する。給電部２７１は、外部電源（コンセント）に接続可能なプラグ（図示せず）又は、プラグ受け（図示せず）などに相当する。
【０２２３】
バッテリー部２７２は、電力を蓄えており、蓄えられている電力を光源部２３０などに供給する。バッテリー部２７２は、バッテリー部１５０に相当する。バッテリー部２７２は、給電部２７１が受電した電力を蓄電してもよい。バッテリー部２７２は、給電部２７１から電力が供給されない場合に、光源部２３０などに電力を供給する。
【０２２４】
太陽電池部２７３は、太陽光などを受光し、光エネルギーを電力に変換する。太陽電池部２７３は、太陽電池部１６０に相当する。太陽電池部２７３は、例えば、他より優先して光源部２３０に電力を供給する。具体的には、太陽電池部２７３は、給電部２７１が外部電力を受電するか否か、及び、バッテリー部２７２が蓄電しているか否かに関わらず、優先して太陽電池部２７３が光源部２３０などに電力を供給する。例えば、光源部２３０が使用する電力の優先順位は、太陽電池部２７３が最も優先され、以下、給電部２７１、バッテリー部２７２の順である。
【０２２５】
熱源部２８０は、貯水タンク部１０に貯められた水を加熱する。熱源部２８０は、熱源部１７０に相当する。熱源部２８０は、制御部２４０による加熱の開始又は停止の制御に基づいて、貯水タンク部１０に貯められた水を加熱する。例えば、受付部２１０によって設定温度の指示が受け付けられた場合、熱源部２８０は、貯水タンク部１０に貯められた水が設定温度になるように加熱する。
【０２２６】
メモリ部２９０は、水質センサ部２２４によって測定された水質を示す水質情報を記憶するための記憶部である。メモリ部２９０は、メモリ部１４２に相当する。具体的には、メモリ部２９０は、貯水タンク部１０に貯められた水の不純物濃度の時系列データを記憶する。
【０２２７】
［動作］
続いて、本実施の形態に係る給水器１の動作について、図１０及び図１１を用いて説明する。
【０２２８】
図１０は、本実施の形態に係る給水器１の動作を示すフローチャートである。図１１は、本実施の形態に係る給水器１の動作を模式的に示す図である。
【０２２９】
まず、図１１の（ａ）に示すように、ユーザは、給水器１の蓋部３０を取り外して、注水口部１４を介して貯水タンク部１０に水を注ぐ。水は、具体的には、未殺菌水であり、例えば、蛇口３００から供給される水道水である。
【０２３０】
次に、図１１の（ｂ）に示すように、ユーザは、貯水タンク部１０に蓋部３０を取り付ける。具体的には、ユーザは、手３１０で把持部３１を把持して蓋部３０を回動させることで、蓋部３０を閉じる。このとき、蓋部３０が正しく閉じられた場合、スピーカ８０が第１効果音（例えば、「ピッ」）を発する。
【０２３１】
以上のように、ユーザによって貯水タンク部１０に水を貯められた後に、給水器１は、貯められた水の殺菌を行うことができる。つまり、駆動回路部６０は、点灯可能モードに移行する。
【０２３２】
なお、このとき、水位センサ部１２０によって所定の水量以上の水が貯められているか否かを検出してもよい。水位センサ部１２０によって所定の水量以上の水が貯められていないと判定された場合には、駆動回路部６０は、点灯禁止モードを維持してもよい。
【０２３３】
まず、図１０に示すように、給水器１は、ユーザから点灯指示を受け付けるのを待機する（ステップＳ１０でＮｏ）。具体的には、図１１の（ｃ）に示すように、例えば、ユーザの手３１０によって電源スイッチ６３が押下されるのを待機する。
【０２３４】
点灯指示が受け付けられた場合（ステップＳ１０でＹｅｓ）、駆動回路部６０は、開閉センサ部５０によって蓋部３０が閉じられていることを確認する（ステップＳ１２）。蓋部３０が閉じられていない場合（ステップＳ１２でＮｏ）、スピーカ８０は、警告音を発する（ステップＳ１４）。このとき、スピーカ８０は、蓋部３０が閉じられるまで、定期的に警告音を発し続けてもよい。
【０２３５】
蓋部３０が閉じられている場合（ステップＳ１２でＹｅｓ）、水位センサ部１２０は、貯水タンク部１０に所定の水量以上の水が貯められていることを確認する（ステップＳ１６）。貯水タンク部１０に所定の水量以上の水が貯められていない場合（ステップＳ１６でＮｏ）、スピーカ８０は、警告音を発する（ステップＳ１４）。
【０２３６】
貯水タンク部１０に所定の水量以上の水が貯められている場合（ステップＳ１６でＹｅｓ）、紫外線光源部４０は、貯水タンク部１０に貯められた水に紫外線の照射を開始する（ステップＳ１８）。このとき、図１１の（ｃ）に示すように、スピーカ８０は、第２効果音（例えば、「ピピッ」）を発してもよい。
【０２３７】
ＵＶセンサ部１１０は、紫外線光源部４０から照射される紫外線の強度を検出する（ステップＳ１８）。駆動回路部６０は、ＵＶセンサ部１１０によって検出された紫外線の強度が照射されているか否かを判定する（ステップＳ２０）。紫外線が照射されていない場合（ステップＳ２２でＮｏ）、スピーカ８０は、警告音を発する（ステップＳ１４）。
【０２３８】
紫外線が照射されている場合（ステップＳ２２でＹｅｓ）、駆動回路部６０は、ＵＶセンサ部１１０によって検出された紫外線の強度を用いて、紫外線を照射する照射時間（設定時間）を決定する（ステップＳ２４）。決定した照射時間は、タイマー部６５に設定される。
【０２３９】
タイマー部６５は、カウントを開始し、設定時間を経過するまで待機する（ステップＳ２６でＮｏ）。具体的には、図１１の（ｄ）に示すように、紫外線光源部４０は、紫外線を照射し続ける。また、インジケータ７０は、カウントに応じた表示を行う。このとき、窓部３４は、青白く光って見える。
【０２４０】
設定時間が経過した場合（ステップＳ２６でＹｅｓ）、紫外線光源部４０は、紫外線の照射を停止する。また、図１１の（ｅ）に示すように、スピーカ８０は、第３効果音（例えば、「ピーッ」）を終了音として発する（ステップＳ２８）。これにより、設定時間の間、貯水タンク部１０に貯められた未殺菌水には、紫外線が直接照射されるので、充分に殺菌することができる。
【０２４１】
なお、このとき、インジケータ７０は表示を終了する。すなわち、ＬＥＤ基板７１は、発光を終了する。また、紫外線光源部４０から青白い光も放射されないので、窓部３４は、青白く光って見えなくなる。
【０２４２】
最後に、ユーザは、必要に応じて給水口部２０を操作することで、貯水タンク部１０に貯められた水（殺菌水）をコップ３２０に注ぐことができる。これにより、殺菌水を飲用水などとして利用することができる。
【０２４３】
［効果など］
以下では、本実施の形態に係る給水器１による効果などを説明する。
【０２４４】
以上のように、本実施の形態に係る給水器１は、内部に注水するための注水口部を有する貯水タンク部１０と、貯水タンク部１０に貯水された水を給水するための給水口部２０と、貯水タンク部１０の内部に配置され、貯水タンク部１０に貯められた水に紫外線を照射することで、当該水を殺菌する紫外線光源部４０と、貯水タンク部１０の内部に配置され、紫外線光源部４０から照射された紫外線を検出するＵＶセンサ部１１０とを備える。
【０２４５】
これにより、給水器１がＵＶセンサ部１１０を備えるので、紫外線光源部４０の動作状況、すなわち、紫外線の照射状況を確認することができる。例えば、ユーザが電源スイッチ６３を押下することで殺菌処理を開始させたにも関わらず、ランプ寿命などによって紫外線光源部４０が不点状態にあって紫外線を照射していない状況などを確認することができる。したがって、ユーザは、未殺菌水の殺菌が行われているか否かを把握することができるので、誤って未殺菌水を使用してしまうことを抑制することができる。
【０２４６】
また、例えば、ＵＶセンサ部１１０は、貯水タンク部１０の内部における、紫外線光源部４０から最も離れた位置に配置されている。
【０２４７】
これにより、ＵＶセンサ部１１０が紫外線によって劣化するのを抑制することができる。
【０２４８】
また、例えば、さらに、ＵＶセンサ部１１０による検出結果を通知する通知部（例えば、ＵＶインジケータ１１１）を備える。
【０２４９】
これにより、紫外線光源部４０からの紫外線が照射されていないことをユーザに知らせることができる。したがって、ユーザは、未殺菌水の殺菌が行われているか否かを把握することができるので、誤って未殺菌水を使用してしまうことを抑制することができる。
【０２５０】
また、例えば、ＵＶセンサ部１１０は、紫外線光源部４０から照射された紫外線の強度を検出し、給水器１は、さらに、紫外線光源部４０の点灯及び消灯を制御する駆動回路部６０を備え、駆動回路部６０は、ＵＶセンサ部１１０によって検出された強度に基づいて紫外線の照射時間を決定し、決定した照射時間で紫外線光源部４０を点灯させる。
【０２５１】
これにより、紫外線光源部４０から照射される紫外線の強度が低下している場合でも、強度に応じた照射時間で紫外線を照射するので、充分な殺菌効果を得ることができる。したがって、殺菌効果が不十分な水をユーザが誤って使用することを抑制することができる。
【０２５２】
また、例えば、さらに、貯水タンク部１０に貯水された水の水量を検出する水位センサ部１２０を備える。
【０２５３】
これにより、例えば、貯水タンク部１０に十分な水量の水が貯められていない場合に、紫外線の照射を禁止することができる。こうすることで、貯水タンク部１０の内部の部材に紫外線が直接照射されるのを抑制することができ、部材の劣化を抑制することができる。
【０２５４】
また、例えば、さらに、貯水タンク部１０に貯水された水の水量を表示する水位表示部１３０を備える。
【０２５５】
これにより、ユーザは、容易に貯水タンク部１０に残存する水の水量を把握することができる。したがって、水の残量が少なくなった場合には、ユーザは、必要に応じて注水を行うことができる。
【０２５６】
また、例えば、さらに、貯水タンク部１０に貯水された水の水質を測定する水質センサ部１４０を備える。
【０２５７】
これにより、例えば、水が飲用水として適しているか否かをユーザに知らせることができる。
【０２５８】
また、例えば、さらに、水質センサ部１４０によって測定された水質を示す水質情報を表示する水質表示部１４１を備える。
【０２５９】
これにより、ユーザに殺菌水の水質状態を知らせることができるので、ユーザが、水質が悪い殺菌水を使用してしまうのを抑制することができる。
【０２６０】
また、例えば、さらに、水質センサ部１４０によって測定された水質を示す水質情報を記憶するためのメモリ部１４２を備える。
【０２６１】
これにより、水質の時系列データを作成することができる。すなわち、水質の変化を定点観測することができるので、水の衛生状態を連続的に確認することができる。
【０２６２】
また、例えば、水質センサ部１４０は、ＴＤＳセンサを有する。
【０２６３】
これにより、例えば、ＴＤＳセンサは、無機イオンの不純物濃度を検出することで、検出結果を一般的な飲用水として適しているか否かの判定に利用することができる。したがって、紫外線の照射によって殺菌された殺菌水であっても、飲用水に適さない水を誤って飲用することを抑制することができる。
【０２６４】
また、例えば、さらに、バッテリー部１５０を備え、紫外線光源部４０は、バッテリー部１５０から供給される電力を用いて紫外線を照射する。
【０２６５】
これにより、例えば、停電が多い地域などでも給水器１を使用することができる。また、屋外などの電源（コンセント）がない場所でも給水器１を使用することができるので、携帯性を高めることができ、ユーザ利便性を向上させることができる。
【０２６６】
また、例えば、さらに、太陽電池部１６０を備え、紫外線光源部４０は、太陽電池部１６０から供給される電力を用いて紫外線を照射する。
【０２６７】
これにより、例えば、停電が多い地域などでも給水器１を使用することができる。また、太陽光を利用するので、電気代が必要ではなく、省エネを実現することができる。
【０２６８】
また、例えば、さらに、貯水タンク部１０に貯められた水を加熱する熱源部１７０を備える。
【０２６９】
これにより、容易にお湯を用意することができ、ユーザ利便性を高めることができる。また、未殺菌水を沸騰させた際に発生する対流によって、紫外線を効率良く未殺菌水に照射させることができ、殺菌効果を高めることができる。これにより、例えば、殺菌時間を短縮することができる。
【０２７０】
また、本実施の形態に係る給水器１によれば、紫外線光源部４０は、貯水タンク部１０に貯められた水に紫外線を照射するので、貯められた水を一括して殺菌することができる。また、紫外線光源部４０が貯水タンク部１０の内部に配置されているので、貯水タンク部１０に貯められた水の全体に届くように紫外線を照射することができるので、優れた殺菌効果を有する。したがって、本実施の形態に係る給水器１によれば、短期間に大量の水を充分に殺菌することができる。
【０２７１】
本実施の形態に係る給水器１によれば、貯水タンク部１０の内部で紫外線を照射することで、殺菌を行う。つまり、給水器１では、貯水タンク部１０の内部空間を、殺菌用と貯水用との両方の空間として利用する。このため、一度殺菌した殺菌水を再び殺菌することもできるので、常に安全性の高い水を飲用水などとして提供することができる。
【０２７２】
また、貯水タンク部１０の内面にも紫外線が照射されるので、貯水タンク部１０自体を殺菌することができる。したがって、より安全性の高い水を提供することができる。
【０２７３】
また、本実施の形態に係る給水器１によれば、貯水タンク部１０が注水口部１４を有するので、水道の蛇口などから貯水タンク部１０に水を注ぐことができる。つまり、紫外線光源部４０を水道管などに接続する必要がない。したがって、給水器１は、持ち運びが可能である。
【０２７４】
さらに、給水器１によれば、紫外線光源部４０が貯水タンク部１０の内部に配置されているので、従来の流水式の水殺菌装置と比較して、殺菌処理用のタンク部及び配水管を設ける必要がなく、構造を簡素化することができる。構造を簡素化させることで、低コスト化が実現でき、また、給水器１の小型化及び軽量化を実現することができる。したがって、給水器１の持ち運びをより一層容易に行うことができる。
【０２７５】
また、例えば、本実施の形態に係る給水器１によれば、蓋部３０が注水口部１４を塞ぐことができるので、紫外線光源部４０が照射する紫外線が給水器１の外部に漏れ出るのを抑制することができる。また、蓋部３０によって紫外線が漏れ出るのを抑制することができるので、注水口部１４を大きくすることができる。したがって、貯水タンク部１０に注水するのに要する時間を短くすることができる。また、貯水タンク部１０に貯められた水が溢れるのを抑制することができる。
【０２７６】
また、例えば、給水器１の使用状態、すなわち、蓋部３０が閉じられている状態では、紫外線光源部４０が貯水タンク部１０の内部に配置されているので、貯水タンク部１０に貯められた水を殺菌することができる。また、蓋部３０を貯水タンク部１０から取り外すことで、紫外線光源部４０を貯水タンク部１０から容易に取り出すことができる。したがって、例えば、貯水タンク部１０の内部を容易に洗浄することができ、給水器１の清潔性を保ちやすくなり、貯められた殺菌水に殺菌が再繁殖するのを抑制することができる。
【０２７７】
また、例えば、本実施の形態に係る給水器１によれば、蓋部３０が閉じられていない場合には、紫外線が照射されない。したがって、紫外線が給水器１の外部に誤って漏れ出ることを抑制し、ユーザの人体への悪影響や器物の損傷を抑制することができる。
【０２７８】
また、例えば、蓋部３０の開閉状態に応じて音を発するので、例えば、蓋部３０が正しく閉じられているか否かなどをユーザに知らせることができる。したがって、本実施の形態に係る給水器１によれば、ユーザ利便性を高めることができる。
【０２７９】
また、例えば、殺菌処理中（すなわち、紫外線照射中）に、ユーザは、窓部３４を介して、目視により紫外線が照射されているか否かを確認することができる。すなわち、ユーザは、紫外線光源部４０の動作状態を目視にて確認することができる。したがって、例えば、ランプ４１の寿命による取り替え時期などを容易に知ることができる。
【０２８０】
また、例えば、蓋部３０が机又は床などに置かれた場合、第１平坦部３２が机又は床に接することで、蓋部３０の側方への回転を抑制することができる。例えば、貯水タンク部１０への注水を行う際には、注水処理をスムーズに行うために、蓋部３０を取り外して机又は床などに置かれることが考えられる。この場合に、第１平坦部３２が机又は床に接することで、蓋部３０が転がるのを抑制することができる。
【０２８１】
また、例えば、蓋部３０が第２平坦部３３を下向きにして机又は床などに置かれた場合、蓋部３０が自立する。例えば、貯水タンク部１０への注水を行う際には、注水処理をスムーズに行うために、蓋部３０を取り外して机又は床などに置かれることが考えられる。この場合に、蓋部３０が自立することで、蓋部３０が転倒するのを抑制することができる。
【０２８２】
したがって、例えば、蓋部３０が転倒して机から落ちる、あるいは、周辺の物に衝突し、蓋部３０自身又は紫外線光源部４０が破損するのを抑制することができる。特に、紫外線光源部４０の一部にガラス部材が使われている場合、ガラス部材の破損を抑制することができる。また、蓋部３０の内部に駆動回路部６０が収納されている場合においても、駆動回路部６０の故障を抑制することができる。
【０２８３】
また、例えば、ユーザは把持部３１を把持することで、容易に蓋部３０を閉じることができる。また、把持部３１が平面視において細長形状であるので、ユーザは、把持部３１の長手方向を確認することで、蓋部３０が正しく閉じられているか否かを判断することができる。例えば、給水器１の正面から見た場合に、把持部３１の長手方向がまっすぐになる（Ｙ軸方向に重なる）ように閉めることで、ユーザは、蓋部３０を容易に閉じることができる。
【０２８４】
また、例えば、殺菌処理の終了までの時間又はタイミングをユーザに容易に知らせることができる。したがって、ユーザ利便性を高めることができる。
【０２８５】
また、例えば、貯水タンク部１０の内面及び蓋部３０の裏面は、紫外線を反射する金属材料で覆われているので、貯水タンク部１０及び蓋部３０を構成する樹脂の紫外線による劣化を抑制することができる。また、貯水タンク部１０や蓋部３０の内面で吸収されなかった紫外線が、給水器１の内部に貯められた水に戻ることになるため、より短期間で効率良く水を殺菌することができる。
【０２８６】
また、例えば、紫外線光源部４０の点灯状態に応じて音を発するので、例えば、紫外線の照射開始及び終了などをユーザに知らせることができる。したがって、ユーザ利便性を高めることができる。
【０２８７】
（変形例１）
以下では、上記実施の形態の変形例１に係る給水器について説明する。
【０２８８】
図１２Ａは、本変形例に係る給水器１０１の右側面図である。本変形例に係る給水器１０１は、上記実施の形態に係る給水器１と比較して、新たに電源コード１８０と、巻き付け部１８５とを備える点が相違する。以下では、実施の形態との相違点を中心に説明し、同じ点については、説明を省略又は簡略化する。
【０２８９】
電源コード１８０は、外部から紫外線光源部４０に電力を供給するための電源コードである。本変形例では、電源コード１８０は、一方の端部が蓋部３０に固定されており、駆動回路部６０を介して紫外線光源部４０に電気的に接続されている。電源コード１８０は、他方の端部が外部の商用電源などに接続された場合に、電力を駆動回路部６０に供給する。駆動回路部６０は、供給された電力を紫外線光源部４０のランプ４１に供給することで、ランプ４１を点灯させる。
【０２９０】
巻き付け部１８５は、電源コード１８０を巻き付け固定するために設けられている。具体的には、巻き付け部１８５は、貯水タンク部１０の外側面から突出した突起を有する。本変形例では、図１２Ａに示すように、巻き付け部１８５は、略Ｌ字状の２つの突起１８５ａ及び１８５ｂを有する。
【０２９１】
２つの突起１８５ａ及び１８５ｂは、例えば、貯水タンク部１０の外側面から互いに平行に突出しており、先端が互いに反対方向に折れ曲がっている。本変形例では、２つの突起１８５ａ及び１８５ｂが上下方向に並んで配置されているので、突起１８５ａの先端は上方に、突起１８５ｂの先端は下方に、それぞれ折れ曲がっている。なお、２つの突起１８５ａ及び１８５ｂは、水平方向又は斜め方向に並んで配置されていてもよい。
【０２９２】
図１２Ｂは、本変形例に係る給水器１０１の右側面図であり、電源コード１８０が巻き付け部１８５に巻き付けられている様子を示している。図１２Ｂに示すように、電源コード１８０は、２つの突起１８５ａ及び１８５ｂに交互に巻き付けられている。
【０２９３】
以上のように、本変形例に係る給水器１０１は、外部から紫外線光源部４０へ電力を供給するための電源コード１８０と、電源コード１８０を巻き付け固定するための巻き付け部１８５とを備える。
【０２９４】
これにより、紫外線の照射を行わない期間など、電力の供給が必要ではない場合に、図１２Ｂに示すように、電源コード１８０を巻き付け部１８５に巻き付けておくことができる。電源コード１８０をコンパクトにまとめることができるので、給水器１０１の持ち運びを容易に行うことができる。また、ユーザが電源コード１８０に引っ掛かるなどの、電源コード１８０に誤って力が加わることを避けることができるので、電源コード１８０の断線を防止することができる。
【０２９５】
なお、電源コード１８０は、貯水タンク部１０の外周に沿って巻き付けられてもよい。例えば、上面視において、貯水タンク部１０の対角方向に２つの突起１８５ａ及び１８５ｂが設けられていてもよい。２つの突起１８５ａ及び１８５ｂより上側で電源コード１８０を貯水タンク部１０に巻き付けることで、電源コード１８０が２つの突起１８５ａ及び１８５ｂに支持されてもよい。
【０２９６】
また、本変形例では、巻き付け部１８５が貯水タンク部１０の外側面に設けられている例について示したが、巻き付け部１８５は蓋部３０の外側面に設けられていてもよい。
【０２９７】
あるいは、給水器１０１は、蓋部３０又は貯水タンク部１０内に電源コード１８０を収納してもよい。例えば、給水器１０１は、電源コード１８０を巻き取るためのコードリール機構を備えてもよい。コードリール機構は、蓋部３０又は貯水タンク部１０内に収納された巻き付け部の一例である。
【０２９８】
具体的には、給水器１０１は、蓋部３０又は貯水タンク部１０内に、電源コード１８０を収納するための空間が設けられている。当該空間内には、巻取りドラムが設けられており、電源コード１８０の端部が固定されている。電源コード１８０を引き出す方向に引っ張ることで、巻取りドラムのストッパが解除され、巻取りドラムが回転することで電源コード１８０が巻き取られる。これにより、電源コード１８０が蓋部３０又は貯水タンク部１０内の空間に収納される。
【０２９９】
また、電源コード１８０は取り外し可能でもよい。具体的には、電源コード１８０の端部には差し込みプラグ（コネクタ）が設けられ、蓋部３０にはプラグ受けが設けられていてもよい。
【０３００】
（変形例２）
以下では、上記実施の形態の変形例２に係る給水器について説明する。
【０３０１】
図１３Ａは、本変形例に係る給水器２０１の斜視図である。図１３Ａに示すように、給水器２０１は、上記実施の形態に係る給水器１と比較して、太陽電池部１６０の代わりに風力発電部２６０を備える点が相違する。以下では、実施の形態との相違点を中心に説明し、同じ点については、説明を省略又は簡略化する。
【０３０２】
風力発電部２６０は、風を受ける１枚以上のプロペラ２６１と、プロペラ２６１の回転に連動して発電を行う発電機（図示せず）とを含む。１枚以上のプロペラ２６１は、例えば、蓋部３０又は貯水タンク部１０に固定されている。あるいは、１枚以上のプロペラ２６１は、発電機とケーブルなどで接続されており、風を受けやすい位置に設置自在であってもよい。発電機は、例えば、蓋部３０又は貯水タンク部１０に内蔵されている。あるいは、発電機は、駆動回路部６０とケーブルなどで接続されて、蓋部３０及び貯水タンク部１０とは別体で設けられていてもよい。
【０３０３】
このように、本変形例に係る給水器２０１は、風力発電部２６０を備えることで、例えば、停電が多い地域などでも給水器２０１を使用することができる。また、屋外などの電源（コンセント）がない場所でも給水器２０１を使用することができるので、携帯性を高めることができ、ユーザ利便性を向上させることができる。
【０３０４】
なお、本変形例に係る給水器２０１は、風力発電部２６０とは異なる発電部を備えてもよい。例えば、給水器２０１は、発電機を駆動させるための動力を生み出す機構（動力発生機構）を備えてもよい。
【０３０５】
図１３Ｂは、本変形例に係る給水器の別の例を示す斜視図である。図１３Ｂに示すように、給水器２０２は、動力発生機構の一例として、手回しハンドル２６２を備えてもよい。手回しハンドル２６２は、発電機（図示せず）に接続されている。ユーザが必要に応じて手回しハンドル２６２を回転させることで、発電機に発電させることができる。なお、手回しハンドル２６２に限らず、自転車のタイヤなどに発電機を接続してもよい。
【０３０６】
あるいは、給水器２０１は、加えられた力を電力に変換する圧電素子を備えてもよい。例えば、給水器２０１の一部に弾性変形可能な部分が設けられ、当該部分に圧電素子を配置する。ユーザが弾性変形可能な部分に力を加えることで、圧電素子は、力が加えられて発電することができる。また、給水器２０１は、熱を電力に変換する熱電素子などを備えてもよい。
【０３０７】
以上のように、給水器２０１が動力発生機構、圧電素子又は熱電素子などを備えることで、例えば、停電が多い地域などでも給水器２０１を使用することができる。
【０３０８】
また、本変形例において、発電機が発電した電力は、バッテリー部１５０に貯められてもよい。このとき、バッテリー部１５０に充電された電力を紫外線の照射以外に用いてもよい。例えば、給水器２０１には、バッテリー部１５０に接続されたＵＳＢ（Ｕｎｉｖｅｒｓａｌ  Ｓｅｒｉａｌ  Ｂｕｓ）コネクタが設けられていてもよい。バッテリー部１５０は、ＵＳＢコネクタに所定の機器が接続された場合に、当該機器に内蔵されたバッテリーを充電する。所定の機器は、例えば、スマートフォン、携帯電話、タブレット端末などの携帯機器であるが、これらに限定されない。
【０３０９】
これにより、水の殺菌を目的とするだけでなく、携帯電話の充電などに給水器２０１を利用することができるので、ユーザの生活において給水器２０１の重要度を増すことができる。結果として、給水器２０１によって水を殺菌することがユーザにとって身近な行動になるので、殺菌された安全な水をユーザに提供することができる。
【０３１０】
（変形例３）
以下では、上記実施の形態の変形例３に係る給水器について説明する。
【０３１１】
図１４Ａは、本変形例に係る給水器３０１を模式化して示す断面図である。図１４Ａに示すように、給水器３０１は、上記実施の形態に係る給水器１と比較して、駆動回路部６０の代わりに、駆動回路部３６０を備える点が相違する。以下では、実施の形態との相違点を中心に説明し、同じ点については、説明を省略又は簡略化する。
【０３１２】
駆動回路部３６０は、貯水タンク部１０の内部に収納されている。具体的には、図１４Ａに示すように、貯水タンク部１０は、水などの液体が入れられる第１空間３１０と、第１空間３１０とは分離された第２空間３１１とを有する。第１空間３１０は、例えば、内側容器１２によって囲まれる空間である。第２空間３１１は、例えば、内側容器１２と外側容器１１との間の空間である。なお、駆動回路部３６０だけでなく、インジケータ７０及びバッテリー部１５０も貯水タンク部１０の第２空間３１１に配置されてもよい。
【０３１３】
なお、本変形例では、給水器３０１は、例えば、接触端子部（図示せず）を備える。接触端子部は、蓋部３０に設けられて紫外線光源部４０（ランプ４１）に接続された第１端子と、貯水タンク部１０に設けられて駆動回路部３６０に接続された第２端子とを含む。蓋部３０が貯水タンク部１０の開口部１４を閉じた場合に、第１端子と第２端子とが導通する。これにより、駆動回路部３６０からの電力をランプ４１に供給することができるので、ランプ４１を点灯させることができる。
【０３１４】
以上のように、本変形例に係る給水器３０１によれば、蓋部３０を軽量化することができる。蓋部３０は、給水器３０１への注水の際にユーザによって開け閉めされる部分であるので、蓋部３０を軽量化することで、給水器３０１の利便性を高めることができる。
【０３１５】
なお、駆動回路部は、蓋部３０及び貯水タンク部１０とは、別体で設けられていてもよい。図１４Ｂは、本変形例に係る給水器の別の例を示す斜視図である。図１４Ｂに示す給水器３０２では、駆動回路部３６１は、貯水タンク部１０の外部に設けられている。
【０３１６】
駆動回路部３６１は、例えば、ＡＣアダプタであって、商用電源に接続される。駆動回路部３６１は、商用電源から受けた電力をランプ４１に供給する。具体的には、駆動回路部３６１は、筐体と、筐体の内部に配置された基板（図示せず）と、基板に実装された複数の回路部品（図示せず）とを備える。なお、駆動回路部３６１の筐体の内部には、バッテリー部１５０などが収納されていてもよい。
【０３１７】
これにより、蓋部３０を軽量化することができる。また、駆動回路部３６１が取り外し可能である場合には、貯水タンク部１０も軽量化することができる。これにより、持ち運びなどを容易に行うことができる。
【０３１８】
（その他）
以上、本発明に係る給水器について、上記実施の形態及びその変形例に基づいて説明したが、本発明は、上記の実施の形態に限定されるものではない。
【０３１９】
例えば、上記の実施の形態では、貯水タンク部１０の内部にＵＶセンサ部１１０が配置されている例について示したが、これに限らない。図１５に示すように、ＵＶセンサ部１１０は、蓋部３０の裏面に配置されていてもよい。なお、図１５は、変形例に係る給水器４０１の断面図である。ＵＶセンサ部１１０が貯水タンク部１０の内部ではなく、蓋部３０の裏面に配置されている点を除いて実施の形態と同じである。なお、ＵＶセンサ部１１０は、貯水タンク部１０と蓋部３０との両方に設けられていてもよい。
【０３２０】
また、例えば、上記の実施の形態では、蓋部３０の裏面に紫外線光源部４０が取り付けられている例について示したが、これに限らない。紫外線光源部４０は、貯水タンク部１０の内部に取り付けられていてもよい。例えば、紫外線光源部４０は、貯水タンク部１０の内底又は内側面に取り付けられていてもよい。
【０３２１】
また、例えば、上記の実施の形態では、給水器１が蓋部３０を備える例について示したが、これに限らない。給水器１は、蓋部３０を備えていなくてもよい。なお、この場合、紫外線光源部４０は、例えば、貯水タンク部１０の内面に取り付けられている。また、紫外線光源部４０が発する紫外線が外に漏れないように、注水口部１４は、開口が小さく、紫外線光源部４０から離れた位置に配置されている。あるいは、例えば、水道の蛇口に取り付けられたホースが注水口部１４に取り付けられていてもよい。
【０３２２】
また、例えば、上記の実施の形態では、蓋部３０を回動させることで、注水口部１４を塞ぐ（蓋部３０を閉じる）例について示したが、これに限らない。例えば、蓋部３０を貯水タンク部１０に押し込むことで、注水口部１４を塞いでもよい。
【０３２３】
また、例えば、上記の実施の形態では、凸状の把持部３１を把持して蓋部３０を回動させる例について示したが、これに限らない。例えば、把持部３１は、凹部でもよい。ユーザは、当該凹部に手を入れて蓋部３０を回動させることができる。
【０３２４】
また、例えば、上記の実施の形態では、凸状の把持部３１と蓋部３０の表面（上面）とが面一である例について示したが、これに限らない。例えば、把持部３１が蓋部３０の上面より突出していてもよい。
【０３２５】
また、例えば、上記の実施の形態では、蓋部３０が円板状の蓋体である例について示したが、これに限らない。蓋部３０は、矩形の蓋体でもよい。同様に、貯水タンク部１０の形状が円筒状である例について示したが、これに限らない。貯水タンク部１０の形状は、角筒状でもよい。
【０３２６】
また、貯水タンク部１０の底部には、複数の脚部を設けてもよい。これにより、給水器１を机などの設置面に設置した場合に、設置面からの給水口部２０の高さを高くすることができる。したがって、給水を行いやすくすることができる。
【０３２７】
また、例えば、給水器１は、蓋部３０の開閉を制限する機能を有してもよい。例えば、紫外線光源部４０が紫外線を照射している間は、蓋部３０が開けられないように固定されていてもよい。
【０３２８】
また、例えば、給水器１は、開閉センサ部５０、駆動回路部６０、インジケータ７０、スピーカ８０及び取手部９０の少なくとも１つを備えなくてもよい。また、開閉センサ部５０、駆動回路部６０、インジケータ７０、スピーカ８０及び取手部９０が設けられる位置についても、実施の形態で示した例に限らない。例えば、インジケータ７０は、蓋部３０ではなく、貯水タンク部１０に設けられていてもよい。
【０３２９】
また、例えば、給水器１は、ＵＶセンサ部１１０、ＵＶインジケータ１１１、水位センサ部１２０、水位表示部１３０、水質センサ部１４０、水質表示部１４１、メモリ部１４２、バッテリー部１５０、太陽電池部１６０及び熱源部１７０の少なくとも１つを備えなくてもよい。
【０３３０】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０３３１】
１  給水器
１０  貯水タンク部
１４  注水口部
２０  給水口部
４０  紫外線光源部
６０  駆動回路部
１１０  ＵＶセンサ部（センサ部）
１１１  ＵＶインジケータ（通知部）
１２０  水位センサ部
１３０  水位表示部
１４０  水質センサ部
１４１  水質表示部
１４２  メモリ部
１５０  バッテリー部
１６０  太陽電池部
１７０  熱源部
【図１】
2016189800.tif 000003
【図２Ａ】
2016189800.tif 000004
【図２Ｂ】
2016189800.tif 000005
【図２Ｃ】
2016189800.tif 000006
【図３】
2016189800.tif 000007
【図４】
2016189800.tif 000008
【図５】
2016189800.tif 000009
【図６Ａ】
2016189800.tif 000010
【図６Ｂ】
2016189800.tif 000011
【図６Ｃ】
2016189800.tif 000012
【図７】
2016189800.tif 000013
【図８】
2016189800.tif 000014
【図９】
2016189800.tif 000015
【図１０】
2016189800.tif 000016
【図１１】
2016189800.tif 000017
【図１２Ａ】
2016189800.tif 000018
【図１２Ｂ】
2016189800.tif 000019
【図１３Ａ】
2016189800.tif 000020
【図１３Ｂ】
2016189800.tif 000021
【図１４Ａ】
2016189800.tif 000022
【図１４Ｂ】
2016189800.tif 000023
【図１５】
2016189800.tif 000024
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
内部に注水するための注水口部を有する貯水タンク部と、
前記貯水タンク部に貯水された水を給水するための給水口部と、
前記注水口部を塞ぐための着脱可能な蓋部と、
前記貯水タンク部の内部に配置され、前記貯水タンク部に貯められた水に紫外線を照射することで、当該水を殺菌する紫外線光源部と、
前記紫外線光源部から照射された紫外線を検出するセンサ部と、
前記センサ部による検出結果を通知する通知部と、
外部から前記紫外線光源部へ電力を供給するための電源部とを備え、
前記紫外線光源部及び前記センサ部は、前記蓋部の裏面に配置されており、
前記通知部は、前記蓋部の表面に配置されており、
前記電源部は、前記蓋部の表面又は内部に配置されている
給水器。
【請求項２】
前記センサ部は、前記貯水タンク部の内部に配置されている
請求項１に記載の給水器。
【請求項３】
前記センサ部は、前記貯水タンク部の内部における、前記紫外線光源部から最も離れた位置に配置されている
請求項２に記載の給水器。
【請求項４】
（削除）
【請求項５】
（削除）
【請求項６】
前記センサ部は、前記紫外線光源部から照射された紫外線の強度を検出し、
前記給水器は、さらに、
前記紫外線光源部の点灯及び消灯を制御する駆動回路部を備え、
前記駆動回路部は、前記センサ部によって検出された強度に基づいて前記紫外線の照射時間を決定し、決定した照射時間で前記紫外線光源部を点灯させる
請求項１〜３のいずれか１項に記載の給水器。
【請求項７】
さらに、
前記貯水タンク部に貯水された水の水量を検出する水位センサ部を備える
請求項１〜３及び６のいずれか１項に記載の給水器。
【請求項８】
さらに、
前記貯水タンク部に貯水された水の水量を表示する水位表示部を備える
請求項１〜３、６及び７のいずれか１項に記載の給水器。
【請求項９】
さらに、
前記貯水タンク部に貯水された水の水質を測定する水質センサ部を備える
請求項１〜３及び６〜８のいずれか１項に記載の給水器。
【請求項１０】
さらに、
前記水質センサ部によって測定された水質を示す水質情報を表示する水質表示部を備える
請求項９に記載の給水器。
【請求項１１】
さらに、
前記水質センサ部によって測定された水質を示す水質情報を記憶するためのメモリ部を備える
請求項９又は１０に記載の給水器。
【請求項１２】
前記水質センサ部は、ＴＤＳ（Ｔｏｔａｌ  Ｄｉｓｓｏｌｖｅｄ  Ｓｏｌｉｄ）センサを有する
請求項９〜１１のいずれか１項に記載の給水器。
【請求項１３】
前記電源部は、バッテリー部を備え、
前記紫外線光源部は、前記バッテリー部から供給される電力を用いて前記紫外線を照射する
請求項１〜３及び６〜１２のいずれか１項に記載の給水器。
【請求項１４】
前記電源部は、太陽電池部を備え、
前記紫外線光源部は、前記太陽電池部から供給される電力を用いて前記紫外線を照射する
請求項１〜３及び６〜１３のいずれか１項に記載の給水器。
【請求項１５】
さらに、
前記貯水タンク部に貯められた水を加熱する熱源部を備える
請求項１〜３及び６〜１４のいずれか１項に記載の給水器。
【請求項１６】
前記電源部は、外部から前記紫外線光源部へ電力を供給するための電源コードを備え、
前記給水器は、さらに、
前記電源コードを巻き付け固定するための巻き付け部を備える
請求項１〜３及び６〜１５のいずれか１項に記載の給水器。
【請求項１７】
さらに、
前記貯水タンク部の内部、又は、前記貯水タンク部及び前記蓋部の外部に設けられた、前記紫外線光源部の点灯及び消灯を制御する駆動回路部を備える
請求項１に記載の給水器。
【国際調査報告】
2016189800.tif 000025
2016189800.tif 000026
2016189800.tif 000027
2016189800.tif 000028